(57)【要約】方法および装置は、近隣の基地局での負荷状態に関する負荷情報が第１の基地局で受信され、次に第１の基地局が位置するセル内の移動体に伝達、例えば、第１の基地局によってブロードキャストされることが説明される。近隣の基地局の負荷情報が、第１の基地局の信頼できる通信チャネルを介して、第１の基地局に現時点で接続される移動体に伝達されるため、移動体が、第１の基地局だけでなく近隣の基地局に対応する負荷因子情報を確実に回収することが可能になることが予想され得る。そのような負荷因子情報を使用することによって、移動体が改善された上りリンク干渉報告を生成し得る。第１の基地局は、自分のセル内の無線端末からそのような干渉報告を受信し、効果的なリソース割り当ておよび干渉制御が容易化される。
2009512360.tif 000002
【特許請求の範囲】
【請求項１】
複数の基地局を含む多重アクセス無線通信システムの第１の基地局を動作させる方法であって、前記複数の基地局の各々が少なくとも１つの基地局接続点を含み、
第２の基地局に対応する第２の基地局接続点の負荷を示す第２の基地局負荷因子情報を受信することと、
前記受信される第２の基地局負荷因子情報の少なくとも一部をブロードキャストすることと、
を備える方法。
【請求項２】
前記第２の基地局が前記第１の基地局に物理的に近接し、
第２の基地局負荷因子情報を受信することが、前記第２の基地局負荷因子情報を前記第１および第２の基地局の間の帰路リンクを介して受信することを含む、請求項１に記載の方法。
【請求項３】
前記第２の基地局が前記第１の基地局に物理的に近接し、
第２の基地局負荷因子情報を受信することが、前記第２基地局との無線通信リンクを介して前記第２の基地局負荷因子情報を受信した移動体通信装置から前記第２の基地局負荷因子情報を受信することを含む、請求項１に記載の方法。
【請求項４】
第１の基地局接続点に関する上りリンク負荷を示す第１の上りリンク負荷因子を決定することであって、前記第１の基地局接続点が前記第１の基地局に対応する、決定することと、
下りリンクブロードキャスト通信チャネルを使用して、前記少なくとも一部の第２の基地局負荷因子情報に加えて前記第１の上りリンク負荷因子を送信することであって、前記少なくとも一部の第２の基地局負荷因子情報が、前記第２の基地局接続点に対応する第２の上りリンク負荷因子を含む、送信することとをさらに備える、請求項１に記載の方法。
【請求項５】
第１の無線端末から第１の上りリンク干渉報告を受信することと、
第２の無線端末から第２の上りリンク干渉報告を受信することと、
前記受信される第１および第２の上りリンク干渉報告に応じて上りリンクリソース割り当てを決定することとをさらに備える、請求項４に記載の方法。
【請求項６】
前記第１および第２の上りリンク干渉報告が、前記送信される第１および第２の上りリンク負荷因子の関数である、請求項５に記載の方法。
【請求項７】
前記第１の上りリンク干渉報告を受信する前に、第１のブロードキャスト信号をブロードキャストすることをさらに備え、
前記第１の上りリンク干渉報告が、前記第１のブロードキャスト信号の前記第１の無線端末によって測定される受信される出力レベル、前記第１の上りリンク負荷因子、前記第２の基地局からの第２のブロードキャスト信号の前記第１の無線端末による受信される出力レベル測定値、および前記第２の上りリンク負荷因子の関数である、請求項６に記載の方法。
【請求項８】
前記第１の基地局からの前記第１のブロードキャスト信号が、ビーコンおよびパイロットチャネル信号のうちの１つであり、前記第２の基地局からの前記第２のブロードキャスト信号がビーコンおよびパイロットチャネル信号のうちの１つである、請求項７に記載の方法。
【請求項９】
前記受信される第１および第２の上りリンク干渉報告に応じて上りリンクリソース割り当てを決定することが、トラフィックチャネルセグメントのスケジューリングをすることを含む、請求項５に記載の方法。
【請求項１０】
前記受信される第１および第２の上りリンク干渉報告に応じて上りリンクリソース割り当てを決定することが、前記第１の接続点から前記第２の接続点への前記第１の無線端末のハンドオフを開始することを含む、請求項５に記載の方法。
【請求項１１】
帰路リンクを介して、第３の基地局接続点に関する上りリンク負荷を示す第３の上りリンク負荷因子を受信することであって、前記第３の基地局接続点が第３の基地局に対応し、前記第３の基地局が前記基地局に近接する、受信することと、
下りリンクブロードキャスト通信チャネルを使用して前記第３の上りリンク負荷因子を送信することであって、前記第１および第２の上りリンク干渉報告が前記送信される第１、第２および第３の上りリンク負荷因子に応じて決定されている、送信することとをさらに備える、請求項５に記載の方法。
【請求項１２】
帰路ネットワークを介して、第３の基地局接続点に関する上りリンク負荷を示す第３の上りリンク負荷因子を受信することであって、前記第３の基地局接続点が前記第２の基地局に対応し、前記第２および第３の基地局接続点が前記第２の基地局の異なるセクタに対応する、受信することと、
下りリンクブロードキャスト通信チャネルを使用して前記第３の上りリンク負荷因子を送信することであって、前記第１および第２の上りリンク干渉報告が前記送信される第１、第２および第３の上りリンク負荷因子に応じて決定されている、送信することとをさらに備える、請求項５に記載の方法。
【請求項１３】
前記第１の基地局が下りリンク送信繰り返しスケジュールに従って上りリンク負荷因子を送信し、繰り返し上りリンクスケジュールに従って上りリンク干渉報告を送信するために前記第１の基地局が上りリンクセグメントを前記第１の無線端末に割り当て、前記第１の無線端末からの上りリンク干渉報告が、送信されるようにスケジューリングされ接続点に対応している上りリンク負荷因子よりも高い周波数で受信されるようにスケジューリングされる、請求項５に記載の方法。
【請求項１４】
前記第１および第２の干渉報告がビーコン割合報告である、請求項５に記載の方法。
【請求項１５】
前記受信される第２の基地局負荷因子情報の少なくとも一部をブロードキャストすることが、
直交周波数分割多重化信号を使用して前記少なくとも一部の第２の基地局負荷因子情報を送信することを含む、請求項９に記載の方法。
【請求項１６】
複数の基地局を含む多重アクセス無線通信システムで使用される第１の基地局であって、前記複数の基地局の各々が少なくとも１つの基地局接続点を含み、前記第１の基地局が、
第２の基地局に対応する第２の基地局接続点の負荷を示す第２の基地局負荷因子情報を受信する第１の受信機と、
前記受信される第２の基地局負荷因子情報の少なくとも一部をブロードキャストする送信機モジュールと、
を備える、第１の基地局。
【請求項１７】
前記第２の基地局が前記第１の基地局に物理的に近接し、
前記第１の受信機が、前記第１の受信機が結合される前記第１および第２の基地局の間の帰路リンクを介して第２の基地局負荷因子情報を受信するネットワークインターフェース受信機である、請求項１６に記載の第１の基地局。
【請求項１８】
前記第２の基地局が前記第１の基地局に物理的に近接し、
前記第２の基地局との無線通信リンクを介して第２の基地局負荷因子情報を受信した移動体通信装置から前記第２の基地局負荷因子情報を受信する無線受信機を前記第１の基地局がさらに含む、請求項１６に記載の第１の基地局。
【請求項１９】
第１の基地局接続点に関する上りリンク負荷を示す第１の上りリンク負荷因子を決定する上りリンク負荷因子決定モジュールであって、前記第１の基地局接続点が前記第１の基地局に対応する、上りリンク負荷因子決定モジュールをさらに備える、請求項１６に記載の第１の基地局。
【請求項２０】
第１の無線端末から第１の上りリンク干渉報告を受信し、第２の無線端末から第２の上りリンク干渉報告を受信する無線受信機と、
前記受信される第１および第２の上りリンク干渉報告に応じて上りリンクリソースを割り当てるリソース割り当てモジュールとをさらに備える、請求項１９に記載の第１の基地局。
【請求項２１】
受信される負荷因子情報と前記第１および第２の上りリンク干渉報告とを記憶するメモリであって、前記第１および第２の上りリンク干渉報告が、前記送信される第１および第２の上りリンク負荷因子の関数である、メモリをさらに備える、請求項２０に記載の第１の基地局。
【請求項２２】
第１のブロードキャスト信号としてブロードキャストされるビーコンおよびパイロットチャネル信号のうちの少なくとも１つの生成を制御するビーコンモジュールおよびパイロットモジュールのうちの少なくとも１つをさらに備え、
前記第１の上りリンク干渉報告が、前記第１のブロードキャスト信号の前記第１の無線端末によって測定される受信される出力レベル、前記第１の上りリンク負荷因子、前記第２の基地局からの第２のブロードキャスト信号の前記第１の無線端末による受信される出力レベル測定値、および前記第２の上りリンク負荷因子の関数である、請求項２１に記載の第１の基地局。
【請求項２３】
前記第１および第２の基地局が複数のセクタを含み、前記第２の基地局接続点が前記第２の基地局の１つのセクタの１つのキャリアに対応する、請求項１９に記載の第１の基地局。
【請求項２４】
前記送信機モジュールが直交周波数分割多重化送信機を含む、請求項１９に記載の第１の基地局。
【請求項２５】
複数の基地局を含む多重アクセス無線通信システムで使用される第１の基地局であって、前記複数の基地局の各々が少なくとも１つの基地局接続点を含み、前記第１の基地局は、
第２の基地局に対応する第２の基地局接続点の負荷を示す第２の基地局負荷因子情報を受信する第１の受信機手段と、
前記受信される第２の基地局負荷因子情報の少なくとも一部をブロードキャストする送信機手段と、
を備える、第１の基地局。
【請求項２６】
前記第２の基地局が前記第１の基地局に物理的に近接し、
前記第１の受信機手段が、前記第１の受信機が結合される前記第１および第２の基地局の間の帰路リンクを介して第２の基地局負荷因子情報を受信するネットワークインターフェース受信機である、請求項２５に記載の第１の基地局。
【請求項２７】
前記第２の基地局が前記第１の基地局に物理的に近接し、
前記第２の基地局との無線通信リンクを介して前記第２の基地局負荷因子情報を受信した移動体通信装置から第２の基地局負荷因子情報を受信する無線受信機手段を前記第１の基地局がさらに含む、請求項２５に記載の第１の基地局。
【請求項２８】
第１の基地局接続点に関する上りリンク負荷を示す第１の上りリンク負荷因子を決定する上りリンク負荷因子決定手段であって、前記第１の基地局接続点が前記第１の基地局に対応する、上りリンク負荷因子決定手段をさらに備える、請求項２５に記載の第１の基地局。
【請求項２９】
第１の無線端末から第１の上りリンク干渉報告を受信し、第２の無線端末から第２の上りリンク干渉報告を受信する無線受信機手段と、
前記受信される第１および第２の上りリンク干渉報告に応じて上りリンクリソースを割り当てるリソース割り当て手段とをさらに備える、請求項２８に記載の第１の基地局。
【請求項３０】
受信される負荷因子情報と前記第１および第２の上りリンク干渉報告とを記憶するメモリ手段であって、前記第１および第２の上りリンク干渉報告が、前記送信される第１および第２の上りリンク負荷因子の関数である、メモリ手段をさらに備える、請求項２９に記載の第１の基地局。
【請求項３１】
前記第１および第２の基地局が複数のセクタを含み、前記第２の基地局接続点が前記第２の基地局の１つのセクタの１つのキャリアに対応する、請求項２８に記載の第１の基地局。
【請求項３２】
前記送信機手段が直交周波数分割多重化送信機を含む、請求項２８に記載の第１の基地局。
【請求項３３】
方法を実装するために複数の基地局を含む多重アクセス無線通信システムの第１の基地局を制御する機械実行可能命令を具現化するコンピュータ可読媒体であって、前記方法が、
第２の基地局に対応する第２の基地局接続点の負荷を示す第２の基地局負荷因子情報を受信することと、
前記受信される第２の基地局負荷因子情報の少なくとも一部をブロードキャストすることと、
を備える、コンピュータ可読媒体。
【請求項３４】
前記第２の基地局が前記第１の基地局に物理的に近接し、前記コンピュータ可読媒体が、
第２の基地局負荷因子情報を受信することの前記ステップの一部として、前記第２の基地局負荷因子情報を前記第１および第２の基地局の間の帰路リンクを介して受信すること、
の機械実行可能命令をさらに具現化する、請求項３３に記載のコンピュータ可読媒体。
【請求項３５】
前記第２の基地局が前記第１の基地局に物理的に近接し、前記コンピュータ可読媒体が、
第２の基地局負荷因子情報を受信することの前記ステップの一部として、前記第２基地局との無線通信リンクを介して前記第２の基地局負荷因子情報を受信した移動体通信装置から前記第２の基地局負荷因子情報を受信すること、
の機械実行可能命令をさらに具現化する、請求項３３に記載のコンピュータ可読媒体。
【請求項３６】
第１の基地局接続点に関する上りリンク負荷を示す第１の上りリンク負荷因子を決定することであって、前記第１の基地局接続点が前記第１の基地局に対応する、決定することと、
下りリンクブロードキャスト通信チャネルを使用して、前記少なくとも一部の第２の基地局負荷因子情報に加えて前記第１の上りリンク負荷因子を送信することであって、前記少なくとも一部の第２の基地局負荷因子情報が、前記第２の基地局接続点に対応する第２の上りリンク負荷因子を含む、送信することと、
の機械実行可能命令をさらに具現化する、請求項３３に記載のコンピュータ可読媒体。
【請求項３７】
第１の無線端末から第１の上りリンク干渉報告を受信することと、
第２の無線端末から第２の上りリンク干渉報告を受信することと、
前記受信される第１および第２の上りリンク干渉報告に応じて上りリンクリソース割り当てを決定することと、
の機械実行可能命令をさらに具現化する、請求項３６に記載のコンピュータ可読媒体。
【請求項３８】
通信システムで動作可能な基地局であって、
第２の基地局に対応する第２の基地局接続点の負荷を示す第２の基地局負荷因子情報の受信を制御し、
前記受信される第２の基地局負荷因子情報の少なくとも一部のブロードキャストを制御する、
ように構成されるプロセッサを備える、基地局。
【請求項３９】
前記第２の基地局が前記第１の基地局に物理的に近接し、前記プロセッサが、
第２の基地局負荷因子情報の受信の前記制御の一部として、前記第２の基地局負荷因子情報を前記第１および第２の基地局の間の帰路リンクを介しての受信を制御するようにさらに構成される、請求項３８に記載の基地局。
【請求項４０】
前記第２の基地局が前記第１の基地局に物理的に近接し、前記プロセッサが、
第２の基地局負荷因子情報の受信の前記制御の一部として、前記第２基地局との無線通信リンクを介して前記第２の基地局負荷因子情報を受信した移動体通信装置からの前記第２の基地局負荷因子情報の受信を制御するように構成される、請求項３８に記載の基地局。
【請求項４１】
前記プロセッサが、
前記第１の基地局に対応する第１の基地局接続点に関する上りリンク負荷を示す第１の上りリンク負荷因子を決定し、
下りリンクブロードキャスト通信チャネルを使用して、前記第２の基地局接続点に対応する第２の上りリンク負荷因子を含む前記少なくとも一部の第２の基地局負荷因子情報に加えて前記第１の上りリンク負荷因子を送信することを制御するようにさらに構成される、請求項３８に記載の基地局。
【請求項４２】
前記プロセッサが、
第１の無線端末からの第１の上りリンク干渉報告の受信を制御し、
第２の無線端末からの第２の上りリンク干渉報告の受信を制御し、
前記受信される第１および第２の上りリンク干渉報告に応じての上りリンクリソース割り当てを決定するようにさらに構成される、請求項４１に記載の基地局。
【発明の詳細な説明】
【技術分野】
【０００１】
［5 U.S.C. 119に基づく優先権主張］
本出願は、それぞれが参照をもって明示的に本明細書の一部とされる、２００５年１０月１４日に出願された米国特許出願第１１／２５１,０６９号の一部継続出願であり、２００５年１２月１４日に出願された米国特許出願第１１／３０２,７２９号の一部継続出願であり、２００６年７月１４日に出願された米国特許出願第１１／４８６,７１４号の一部継続出願であり、２００６年７月１４日に出願された米国特許出願第１１／４８７,０１７号の一部継続出願である。
【０００２】
［発明の分野］
本発明は、無線通信システムに関し、特に、無線通信システムで干渉制御目的および／または負荷管理に使用し得る情報を通信、収集、測定、報告および／または使用する方法および装置に関する。
【背景技術】
【０００３】
無線多重アクセス通信システムで、無線端末は、上りリンクチャネル上の共通の受信機と通信するためにシステムリソースに関する競争をする。この状況の一例は、携帯電話無線システムでの上りリンクチャネルであり、そこでは無線端末が基地局受信機に送信する。無線端末が上りリンクチャネル上で送信する場合、通常、全システム、例えば、近隣の基地局受信機に干渉を生じる。無線端末は分散されているため、それらの送信によって生じる干渉を制御することは困難な問題である。
【０００４】
多数の携帯電話無線システムは、上りリンク干渉を制御するために単純な方策を採用する。例えば、ＣＤＭＡ音声システム（例えば、ＩＳ−９５）は、複数の無線端末の信号がほぼ同じ出力で基地局受信機で受信されるという方法で無線端末の出力制御を行う。１ｘＲＴＴおよび１ｘＥＶ−ＤＯ等の最新式ＣＤＭＡシステムは、無線端末が異なる速度で送信し、基地局で異なる出力で受信されることを可能にする。一方、システムで最悪の干渉源である無線端末を正確に制御することなしに干渉の全体レベルを低下させる分散式の方法で干渉が制御される。
【０００５】
既存の干渉制御方法は有益であり得るが、干渉が無線システムの上りリンク容量を制限し続け、新規かつ／または改良された干渉制御方法が有益であろう。
【０００６】
送信が生じる際に近隣のセルおよび／もしくはセクタで生成される信号干渉の量の判定、ならびに／または信号干渉のせいで無線端末が直面する可能性のある干渉の量の判定に使用され得る情報を基地局が備えることが可能であるならば有益であろう。干渉判定目的に使用され得る情報が１つ以上の無線端末から基地局に提供されることが可能であるならば、とりわけ好ましいであろう。
【０００７】
負荷(loading)は、無線通信システムで干渉の考慮に影響を及ぼす。いくつかの、しかし必ずしも全部ではない実装で、そのような情報が無線端末および／または基地局に利用可能であるならば、有益であろう。さらに、無線端末および／または基地局が干渉レベルの判定にそのような負荷情報を使用するならば、有益であろう。従って、干渉制御目的で負荷干渉情報を通信および／または使用する新規の方法および／または装置の必要性が存在する。
【０００８】
１つの基地局接続点（base station attachment point）に対して無線端末が今、接続され、同期化されると、その無線端末は、基地局からその時点で接続を有する相手にブロードキャスト(broadcast)される詳細な特性情報を読み込み可能に受信することができるが、無線端末は、他の、例えば、近接基地局からの情報を回収するのが困難であり得る。無線端末が、その近隣の基地局について負荷情報を収集することが可能であると見込まれ得る場合、そのような情報は、充分に制御された干渉報告で使用され得る。方法および装置が、そのような無線端末へのその時点で近隣にある複数の基地局からの負荷情報の信頼できる配信を容易化するならば、有益であろう。
【０００９】
通信システムによっては、干渉および／または負荷バランスを管理するために、例えば、コアノード（core node）を使用する等、中央制御方法を使用し得るが、そのような方法は、信号伝達および処理の遅延の制約を受け、コアノードに適度に伝達され得る情報量が制限されてしまう可能性がある。従って、いくつかのシステムで使用されるコアノード方法は、緩慢であるか、リソースの効果的な割り当てが得られる状況の変化に迅速に適合することができないことが多い可能性がある。
【００１０】
上述の観点で、干渉の制御に使用し得る情報の通信での改善および／または新規かつ改善された干渉管理技術の必要性が存在する。
【発明の開示】
【００１１】
［概要］
種々の実施形態は、干渉制御目的および／または負荷管理のために使用され得る情報を通信、収集、測定、報告および／または使用する方法および装置を対象とする。方法および装置は、近隣の基地局での負荷状態に関する負荷情報が基地局で受信され、次にその受信する基地局が位置するセル内の移動体ノードに利用および／または通信されることが説明される。従って、基地局は、特定の基地局の負荷および近隣の基地局、例えば、物理的に近接基地局の負荷に関する情報を通信し得る。移動体ノードが、接続される基地局だけでなく、通信システム内でその時点で近隣にある別の基地局から対応する負荷因子情報（loading factor information）を、干渉報告の生成および／または種々の決定をする場合にそのような負荷を考慮できるように、確実に受信可能であるならば有益である。従って、近接基地局での負荷についての情報が、干渉制御を改善するために使用され得る。例えば、移動体ノードは、種々の実施形態で、自分の基地局からの、および別の、例えば、近接基地局からの受信される公知の信号、例えば、ビーコン(beacon)および／またはパイロットチャネル信号に応じて、ビーコン割合報告（beacon ratio report）等の上りリンク干渉報告（uplink interference report）を生成する。この干渉報告は、いくつかの実施形態では、より正確な報告を計算するために、利用可能である場合、さらに基地局負荷情報を利用する。干渉報告の生成で、近接基地局負荷情報を無線端末がうまく収集および使用することができる可能性を改善することによって、よりしっかりと制御された干渉報告が生成される。結果として、そのような報告を受信する基地局による干渉および／または負荷管理がより効果的になり得る。
【００１２】
種々の実施形態によると、基地局は自身の負荷因子情報を、例えば、帰路ネットワークを介して近接基地局に伝達する。基地局は、近接基地局からの伝達された負荷情報を受信し、近接基地局の対応する負荷因子に加えて自分の負荷因子をブロードキャストする。従って、通信システムの局所的な近隣にある複数の基地局からの負荷因子情報を移動体ノードが容易に利用可能にされ、改善された干渉制御が容易化される。これによって、通信リンクを有する基地局以外の基地局からそのような負荷情報を移動体ノードが直接的に受信することの困難が克服される。無線通信システムの移動体ノードが最初の基地局に対して現在、接続および同期され得ることを理解されたい。そのような移動体ノードは、通常、その特定の基地局からブロードキャスト情報を確実に受信することが可能であり得る。しかしながら、そのような移動体ノードは、近接基地局からブロードキャスト情報を確実に収集することができる可能性も、そうでない可能性もある。例えば、無線端末は、高出力ビーコン信号を検出および測定することができる可能性があるが、近接基地局からの別の制御情報ブロードキャスト信号を収集することができない可能性がある。種々の実施形態によると、近隣の基地局での負荷についての基地局送信情報を有することによって、近隣の基地局から無線で直接的にそのような情報を受信する必要がある移動体の問題が克服される。
【００１３】
複数の基地局を含む無線通信システムで第１の基地局を動作させる例示的な方法は、基地局の各々が少なくとも１つの基地局接続点を含み、第２の基地局に対応する第２の基地局接続点の負荷を示す第２の基地局負荷因子情報を受信することと、前記第２の基地局負荷因子情報の少なくとも一部をブロードキャストすることとを含む。複数の基地局を含む多重アクセス無線通信システムで使用される例示的な第１の基地局は、前記複数の基地局の各々が少なくとも１つの基地局接続点を含み、第２の基地局に対応する第２の基地局接続点の負荷を示す第２の基地局負荷因子情報を受信する第１の受信機と、前記受信される第２の基地局負荷因子情報の少なくとも一部をブロードキャストする送信機モジュールとを含む。
【００１４】
種々の実施形態が上述の概要で説明されたが、必ずしも全ての実施形態が同じ特性を含むとは限らず、上記で説明された特性のいくつかは必要でないが、いくつかの実施形態では望ましい可能性があることを理解されたい。本発明の多数の付加的な特性、実施形態および利点は、以下の詳細な説明で議論される。
【００１５】
［詳細な説明］
図１は、例示的な無線通信システム、例えば、多重アクセス直交周波数分割多重化（ＯＦＤＭ）無線通信システムの説明図である。例示的な通信システム１００は、複数の基地局（ＢＳ１  １０１、ＢＳ２  １０２、ＢＳ３  １０３、ＢＳ４  １０４、ＢＳ５  １０５、ＢＳ６  １０６、ＢＳ７  １０７、ＢＳ８  １０８、ＢＳ９  １０９、ＢＳ１０  １１０、ＢＳ１１  １１１、ＢＳ１２  １１２、ＢＳ１３  １１３、ＢＳ１４  １１４、・・・、ＢＳＮ  １１５）を含む。各基地局は、対応する無線サービスエリア、例えば、基地局を取り囲む携帯電話の包括的エリアを有する。近接基地局の携帯電話サービスエリアは、一般的にはそうであるが、重なり合っている可能性がある。システム１００の基地局は、シングルセクタ基地局、マルチセクタ基地局、またはいくつかのシングルセクタ基地局といくつかのマルチセクタ基地局との組み合わせであってよい。基地局の各セクタは、少なくとも１つのキャリアおよび１つの下りリンク／上りリンクトーンブロックペア（tone block pair）に対応する。さらに、基地局の各セクタは、場合によっては、複数のキャリアおよび／または下りリンク／上りリンクトーンブロックペアの複数セットに対応し得る。各下りリンク／上りリンクトーンブロックペアは、基地局接続点に対応する基地局セクタによって使用される。
【００１６】
システム１００の基地局（１０１、１０２、１０３、１０４、１０５、１０６、１０７、１０８、１０９、１１０、１１１、１１２、１１３、１１４、１１５）は、帰路ネットワークを介して互いに結合される。例示的なシステム１００は、さらに、複数のネットワークノード、例えば、基地局に結合されたルータ（１１６、１１７、１１８、１１９）を含む。システム１００では、ネットワークノード１１６は、ネットワークリンク（１２３、１２２、１２６、１２４、１２５、１２７、１２１）を介して、各々、（ＢＳ１  １０１、ＢＳ２  １０２、ＢＳ４  １０４、ＢＳ５  １０５、ＢＳ７  １０７、ネットワークノード１１７、ネットワークノード１１８）に結合される。ネットワークノード１１７は、ネットワークリンク（１３８、１３７）を介して、各々、（ＢＳ１０  １１０、ＢＳ１１  １１１）に結合される。ネットワークノード１１８は、ネットワークリンク（１２８、１２９、１３０、１３１、１３２）を介して、各々、（ＢＳ３  １０３、ＢＳ６  １０６、ＢＳ８  １０８、ＢＳ９  １０９、ネットワークノード１１９）に結合される。ネットワークノード１１９は、ネットワークリンク（１３３、１３９、１３４、１３５、各々を介して、（ＢＳ１２  １１２、ＢＳ１３  １１３、ＢＳ１４  １１４、ＢＳＮ  １１５）に結合される。ネットワークノード１１８は、さらに、ネットワークリンク１２２を介して別のネットワークノードおよび／またはインターネットに結合される。ネットワークリンク（１２１、１２２、１２３、１２４、１２５、１２６、１２７、１２８、１２９、１３０、１３１、１３２、１３３、１３４、１３５、１３７、１３８、１３９）は、例えば、光ファイバリンク、有線リンク、および／または無線リンクであってよい。
【００１７】
無線通信システム１００は、さらに、通信システム全体にわたって移動し得て、その時点で位置する領域での基地局接続点を使用する複数の無線端末（ＷＴ１  １４０、・・・、ＷＴＮ  １４１）、例えば、移動体ノードを含む。この例では、ＷＴ１  １４０が無線リンク１４２を介してＢＳ５  １０５に結合されて示されており、ＷＴＮ  １４１が無線リンク１４３を介してＢＳ１１  １１１に結合されて示されている。一般に、各基地局は、その１つの接続点または複数の接続点に接続されてそれを使用する、複数の無線端末を通常、有することを理解するべきである。任意の所与の接続点上のその時点での負荷は、通常、接続点を使用する無線端末の数および／またはデータ／情報、例えば、通信されるトラフィックの量を含む多数の因子に関して経時的に変化する。
【００１８】
２つの例示的な無線端末が図１のシステムに示されているが、システム１００は、一般に、同時に動作して上りリンクトラフィックチャネルセグメント等の空中リンクリソースに関して競争する多数の無線端末を含むことを理解するべきである。特定の基地局での負荷は、その時点でその基地局へをネットワーク接続に関して使用する無線端末の数、そのような無線端末の種類、そのような無線端末により使用されるアプリケーション、および／またはそのような無線端末のその時点での空中リンク必要性に関して経時的に変化する。例えば、１つの基地局は、各々が単位時間当たりに上りリンク空中リンクトラフィックチャネルセグメントの少量を使用する多数の同時ユーザ、例えば、処理中の多数の同時ＶｏＩＰ呼び出しに起因して、高い負荷がかけられ得る。別の基地局は、少数だが各ユーザが単位時間で大量の空中リンクリソースを必要とする同時利用、例えば、デジタル化された高解像度画像ストリーム信号をａ送信するために単位時間当たりで大量の上り空中リンクリソースを必要とする少数の無線端末によって高い負荷がかけられ得る。さらに別の基地局は、例えば、位置および／または時間帯と極少数の同時ユーザとに起因して低い負荷がかけられ得る。
【００１９】
図２は、種々の実施形態による、帰路ネットワークを介して伝達される例示的な信号伝達を示す説明図２００である。種々の実施形態によると、改善された干渉管理および空中リンクリソースの改善された割り当てを容易化するために、システムの少なくとも一部の基地局は、負荷情報、例えば、上りリンク負荷因子情報を交換する。図１の例示的なシステム１００では、各基地局が、自分の測定された上りリンク負荷因子をシステム１００の近接基地局の各々に、例えば、継続的に伝達する。実施形態によっては、スケジュール、例えば、繰り返しスケジュールに従って、上りリンク負荷因子が基地局の間で伝達され得る。実施形態によっては、要求または命令、例えば、別の基地局から／への要求または命令に応じて、上りリンク負荷因子が基地局の間で伝達され得る。実施形態によっては、生じる状況、例えば、測定された負荷因子の変化または測定された負荷因子の制限の超過に応じて、上りリンク負荷因子が基地局の間で伝達され得る。実施形態によっては、基地局は、負荷の高レベルが測定される場合、自分の負荷因子を、例えば、選択される隣接する基地局に送信し得る。
【００２０】
基地局１  １０１は、その上りリンク負荷因子を信号２０１を介して送信し、信号２０２を介して基地局２、４および５に対応する上りリンク負荷因子を受信し、この信号２０１および２０２は、ネットワークリンク１２３を介して伝達される。基地局２  １０２は、その上りリンク負荷因子を信号２０３を介して送信し、信号２０４を介して基地局１、３、５および６に対応する上りリンク負荷因子を受信し、この信号２０３および２０４は、ネットワークリンク１２２を介して伝達される。基地局３  １０３は、その上りリンク負荷因子を信号２０５を介して送信し、信号２０６を介して基地局２および６に対応する上りリンク負荷因子を受信し、この信号２０５および２０６は、ネットワークリンク１２８を介して伝達される。基地局４  １０４は、その上りリンク負荷因子を信号２０７を介して送信し、信号２０８を介して基地局１、５および７に対応する上りリンク負荷因子を受信し、この信号２０７および２０８は、ネットワークリンク１２６を介して伝達される。基地局５  １０５は、その上りリンク負荷因子を信号２０９を介して送信し、信号２１０を介して基地局１、２、４、６、７および８に対応する上りリンク負荷因子を受信し、この信号２０９および２１０は、ネットワークリンク１２４を介して伝達される。基地局６  １０６は、その上りリンク負荷因子を信号２１１を介して送信し、信号２１２を介して基地局２、３、５、８および９に対応する上りリンク負荷因子を受信し、この信号２１１および２１２は、ネットワークリンク１２９を介して伝達される。基地局７  １０７は、その上りリンク負荷因子を信号２１３を介して送信し、信号２１４を介して基地局４、５、８、１０および１１に対応する上りリンク負荷因子を受信し、この信号２１３および２１４は、ネットワークリンク１２５を介して伝達される。基地局８  １０８は、その上りリンク負荷因子を信号２１５を介して送信し、信号２１６を介して基地局５、６、７、９、１１および１２に対応する上りリンク負荷因子を受信し、この信号２１５および２１６は、ネットワークリンク１３０を介して伝達される。基地局９  １０９は、その上りリンク負荷因子を信号２１７を介して送信し、信号２１８を介して基地局６、８および１２に対応する上りリンク負荷因子を受信し、この信号２１７および２１８は、ネットワークリンク１３１を介して伝達される。基地局１０  １１０は、その上りリンク負荷因子を信号２１９を介して送信し、信号２２０を介して基地局７、１１および１３に対応する上りリンク負荷因子を受信し、この信号２１９および２２０は、ネットワークリンク１３８を介して伝達される。基地局１１  １１１は、その上りリンク負荷因子を信号２２１を介して送信し、信号２２２を介して基地局７、８、１０、１２、１３および１４に対応する上りリンク負荷因子を受信し、この信号２２１および２２２は、ネットワークリンク１３７を介して伝達される。基地局１２  １１２は、その上りリンク負荷因子を信号２２３を介して送信し、信号２２４を介して基地局８、９、１１、１４およびＮに対応する上りリンク負荷因子を受信し、この信号２２３および２２４は、ネットワークリンク１３３を介して伝達される。基地局１３  １１３は、その上りリンク負荷因子を信号２２５を介して送信し、信号２２６を介して基地局１０、１１および１４に対応する上りリンク負荷因子を受信し、この信号２２５および２２６は、ネットワークリンク１３９を介して伝達される。基地局１４  １１４は、その上りリンク負荷因子を信号２２７を介して送信し、信号２２８を介して基地局１１、１２、１３およびＮに対応する上りリンク負荷因子を受信し、この信号２２７および２２８は、ネットワークリンク１３４を介して伝達される。基地局Ｎ  １１５は、その上りリンク負荷因子を信号２２９を介して送信し、信号２３０を介して基地局１２および１４に対応する上りリンク負荷因子を受信し、この信号２２９および２３０は、ネットワークリンク１３５を介して伝達される。所与の基地局およびそれに近接する複数の基地局のうちの１つは、単一のネットワークルータを介して接続されてもよいし、されなくてもよいことに留意されたい。例えば、基地局２および３は近接し、図２に示されるようにそれらの間で負荷因子を交換するが、図１で、２つの基地局は、２つの異なるネットワークルータで接続されている。
【００２１】
帰路を介して負荷因子を搬送する信号が１つ以上の負荷因子を含み得ることを理解するべきである。例えば、信号２０２は、別個の信号、例えば、ＢＳ２負荷因子、ＢＳ４負荷因子、および基地局５負荷因子の各々に対する別個のメッセージを含み得る。代替的に、信号２０２は、ＢＳ２、４および５に対する負荷因子を単一のメッセージに含んでもよい。
【００２２】
図３は、例えば、繰り返しスケジュールに従って、図１のシステム１００の基地局の各々から送信される例示的なブロードキャスト信号伝達を示す説明図３００である。基地局の動作は、互いにタイミングが同期化される必要はないし、一般的に、そうなっていない。例えば、図１に示されるように現時点でＢＳ５  １０５に接続されるＷＴ１  １４０は、基地局２  １０２および基地局６  １０６等の別の近接基地局に対してタイミングが同期化されてなくてよい。図３の例では、各基地局は、ビーコン信号、パイロットチャネル信号、および上りリンク負荷因子信号を含むブロードキャスト信号を送信する。ビーコン信号の特性は、ビーコン信号を送信する基地局と正確に同期化されていない可能性があり、かつ／またはビーコン信号を送信する基地局に関して貧弱なチャネル状態にある無線端末によってでさえ、簡単な検出を容易化することである。例えば、実施形態によっては、ビーコン信号は、１つ以上のトーン上でのエネルギー集中による比較的高出力信号であり、ビーコン信号の幅は通常のＯＦＤＭシンボル信号より大きく、例えば、ビーコン信号は、先頭シンボル部分および拡張部分でＯＦＤＭシンボルの２倍の幅である。パイロット信号は、この実施形態では、ビーコン信号よりもトーン出力当たりで低出力で送信され、ビーコン信号よりも高い頻度で送信され、所定のトーンホッピングパターンに従う。上りリンク負荷因子ブロードキャスト信号は、ブロードキャスト情報信号の一部として伝達される。アップローディング負荷因子情報を伝達する単一のブロードキャスト信号は、１つ以上の上りリンク負荷因子を伝達し得る。基地局の下りリンク信号伝達とタイミングが同期化され、良好なチャネル状態を有する無線端末、例えば、現時点で基地局接続点に接続され、良好なチャネル状態である無線端末は、上りリンク負荷因子ブロードキャスト信号を回収可能であるべきである。しかしながら、近接基地局接続点を使用する無線端末は、ビーコン信号および／またはパイロットチャネル信号を回収して評価することが可能であり得るとしても、その時点で接続されていない基地局からのブロードキャスト上りリンク負荷因子信号をうまく回収することは可能であってもよいし、そうでなくてもよい。
【００２３】
種々の実施形態の特性によると、基地局は、自分の上りリンク負荷因子と、別の、例えば、近接基地局に対応する上りリンク負荷因子とをブロードキャストする。従って、無線端末は、その時点で接続されてない基地局から上りリンク負荷因子を回収することの試みを必ずしもあてにする必要がない。従って、無線端末は、その時点での位置での種々の基地局に対応するその時点での上りリンク負荷因子情報を受信する可能性が高くなり得て、そのような情報をより有用な上りリンク干渉報告、例えば、より正確なビーコン割合報告を生成するために使用し得る。例えば、無線端末がその時点でのネットワーク接続点に対応する負荷因子を受信することが可能であるが、近接基地局に対応する負荷因子を受信することが可能でない場合、無線端末は、ビーコン割合報告の計算に、回収されない上りリンク負荷に関して初期設定値を使用しなければならないであろう。初期設定の因子は、通常、慎重な方法で選択され、従って、干渉報告は、実際に生成されるものよりも高い干渉の可能性があり得る。しかしながら、無線端末が干渉報告に必要な負荷因子の各々を取得することが可能である場合、より改善されてより制御された干渉報告が生成され、より改善された干渉管理と基地局による空中リンクリソースのより効果的な割り当てとのために基地局に伝達され得る。
【００２４】
基地局１  １０１は、ビーコン信号３０２、パイロット信号３０１、ならびに基地局１、２、４および５に対応する上りリンク負荷因子を搬送する信号３０３をブロードキャストする。基地局２  １０２は、ビーコン信号３０５、パイロット信号３０４、ならびに基地局１、２、３、５および６に対応する上りリンク負荷因子を搬送する信号３０６をブロードキャストする。基地局３  １０３は、ビーコン信号３０８、パイロット信号３０７、ならびに基地局２、３および６に対応する上りリンク負荷因子を搬送する信号３０９をブロードキャストする。基地局４  １０４は、ビーコン信号３１１、パイロット信号３１０、ならびに基地局１、４、５および７に対応する上りリンク負荷因子を搬送する信号３１２をブロードキャストする。基地局５  １０５は、ビーコン信号３１４、パイロット信号３１３、ならびに基地局１、２、４、５、６、７および８に対応する上りリンク負荷因子を搬送する信号３１５をブロードキャストする。基地局６  １０６は、ビーコン信号３１７、パイロット信号３１６、ならびに基地局２、３、５、６、８および９に対応する上りリンク負荷因子を搬送する信号３１７をブロードキャストする。基地局７  １０７は、ビーコン信号３２０、パイロット信号３１９、ならびに基地局４、５、７、８、１０および１１に対応する上りリンク負荷因子を搬送する信号３２１をブロードキャストする。基地局８  １０８は、ビーコン信号３２３、パイロット信号３２２、ならびに基地局５、６、７、８、９、１１および１２に対応する上りリンク負荷因子を搬送する信号３２４をブロードキャストする。基地局９  １０９は、ビーコン信号３２６、パイロット信号３２５、ならびに基地局６、８、９および１２に対応する上りリンク負荷因子を搬送する信号３２７をブロードキャストする。基地局１０  １１０は、ビーコン信号３２９、パイロット信号３２８、ならびに基地局７、１０、１１および１３に対応する上りリンク負荷因子を搬送する信号３３０をブロードキャストする。基地局１１  １１１は、ビーコン信号３３２、パイロット信号３３１、ならびに基地局７、８、１０、１１、１２、１３および１４に対応する上りリンク負荷因子を搬送する信号３３３をブロードキャストする。基地局１２  １１２は、ビーコン信号３３５、パイロット信号３３４、ならびに基地局８、９、１１、１４およびＮに対応する上りリンク負荷因子を搬送する信号３３６をブロードキャストする。基地局１３  １１３は、ビーコン信号３３８、パイロット信号３３７、ならびに基地局１０、１１、１３および１４に対応する上りリンク負荷因子を搬送する信号３３９をブロードキャストする。基地局１４  １１４は、ビーコン信号３３１、パイロット信号３３０、ならびに基地局１１、１２、１３、１４およびＮに対応する上りリンク負荷因子を搬送する信号３３２をブロードキャストする。基地局Ｎ  １１５は、ビーコン信号３４４、パイロット信号３４３、ならびに基地局１２、１４およびＮに対応する上りリンク負荷因子を搬送する信号３４５をブロードキャストする。
【００２５】
図４は、無線端末１  １４０とその近隣にある種々の基地局との例示的なやりとりを示す説明図４００である。無線端末１  １４０は、そのネットワーク接続点を使用する基地局５  １０５に現時点で接続されている。無線端末１  １４０は、現時点で基地局５  １０５に関してオン状態アクティブユーザであり、基地局５  １０５に関してタイミングが同期化され、基地局５  １０５によりオン状態識別子が割り当てられており、基地局５  １０５に制御情報報告を伝達するための上りリンク専用制御チャネルセグメントが割り当てられている。基地局５  １０５に伝達される制御チャネル報告は、上りリンク干渉報告、例えば、ビーコン割合報告を含む。種々の干渉報告、例えば、ビーコン割合報告は、現時点の接続点から受信される信号の出力レベルと、１つ以上の別の、例えば、近接基地局から受信される信号の出力レベルとを比較し、さらに、報告は、実施形態によっては、基地局の負荷レベルを考慮するために、上りリンク負荷因子値、例えば、ゲイン調整値を含む。
【００２６】
無線端末１  １０４は、基地局（ＢＳ１  １０１、ＢＳ２  １０２、ＢＳ４  １０４、ＢＳ５  １０５、ＢＳ６  １０６、ＢＳ８  １０８）から、各々、ビーコン信号（３０２、３０５、３１１、３１４、３１７および３２３）を受信する。ビーコン信号の性質に起因して、無線端末は、無線端末が基地局１、２、４、６および８と正確に同期化されていないとしても、基地局（１０１、１０２、１０４、１０５、１０６および１０８）の各々に対する受信される出力測定レベル決定を取得し得る。無線端末１４０は、さらに、基地局５  １０５からのパイロットチャネル信号３１３を受信して評価する。さらに、無線端末１４０は、基地局１０５からのブロードキャスト情報信号３１２から基地局（１、２、４、５、６、７および８）に対応する上りリンク負荷因子情報を受信する。
【００２７】
無線端末は、上りリンク信号を介して基地局５  １０５に伝達される上りリンク干渉報告、例えば、様々な種類のビーコン割合報告を生成するために、受信される情報を使用する。基地局５  １０５は、全体の干渉の管理、スケジュールの決定、最大上りリンクデータ速度の決定、上りリンク出力制御情報の決定、および／またはハンドオフの決定に、受信される上りリンク干渉報告を使用する。さらに、基地局５  １０５によって決定される上りリンク負荷因子情報および／または帰路ネットワークを介して基地局５により受信される上りリンク負荷因子情報は、実施形態によっては、種々のスケジューリング、制御、および／またはハンドオフ決定の決定をするための入力として基地局１０５によって直接的に使用される。
【００２８】
例示的なビーコン割合報告の１つの種類は、実施形態によっては、その時点での接続点基地局を別の、例えば、選択された近接基地局と比較する特定のビーコン割合報告である。例えば、基地局５  １０５は、ＢＳ５  １０５とＢＳ６  １０６とを比較する特定のビーコン割合報告を送信し得る。そのような状況下で、無線端末１４０は、上りリンク干渉報告を決定するのに、受信されるビーコン信号３１７測定情報、受信されるビーコン信号３１５測定情報と受信されるパイロットチャネル信号３１３測定情報とのうちの少なくとも１つ、ならびに信号３１２で受信される基地局５および基地局６に対応する上りリンク負荷因子情報を使用する。
【００２９】
例示的なビーコン割合報告の別の種類は、実施形態によっては、その時点での接続点基地局を検出される別の基地局のブロードキャスト信号の合成と比較する。例えば、基地局５  １０５は、ＢＳ５  １０５とＢＳ１  １０１、ＢＳ２  １０２、ＢＳ４  １０４、ＢＳ５  １０５、ＢＳ６  １０６およびＢＳ８  １０８からの情報の合成とを比較する包括的なビーコン割合報告を送信し得る。そのような状況下で、無線端末１  １４０は、上りリンク干渉報告を決定するのに、受信されるビーコン信号３０２測定情報、受信されるビーコン信号３０５測定情報、受信されるビーコン信号３１１測定情報、受信されるビーコン信号３１７測定情報、受信されるビーコン信号３２３測定情報、受信されるビーコン信号３１４測定情報と受信されるパイロットチャネル信号３１３測定情報とのうちの少なくとも１つ、ならびに信号３１２で受信される基地局１、２、４、５、６、８に対応する上りリンク負荷因子情報を使用する。
【００３０】
図５は、帰路ネットワークを介した基地局の間での基地局負荷因子情報、例えば、上りリンク負荷因子情報の伝達を示し、さらに、基地局による自分の負荷因子情報と別の、例えば、近接基地局に対応する負荷因子情報との例示的なブロードキャストを示す、例示的な無線通信システム５００、例えば、ＯＦＤＭ通信システムの説明図である。例示的なシステム５００は、図５に示されるように、帰路ネットワークを介して互いに結合され、別のネットワークノードに結合される複数の基地局（ＢＳ１  ５０１、ＢＳ２  ５０２、ＢＳ３  ５０３、ＢＳ４  ５０４、ＢＳ５  ５０５、ＢＳ６  ５０６、ＢＳ７  ５０７、ＢＳ８  ５０８、ＢＳ９  ５０９、ＢＳ１０  ５１０、ＢＳ１１  ５１１、ＢＳ１２  ５１２、ＢＳ１３  ５１３、ＢＳ１４  ５１４、およびＢＳＮ  ５１５を含む。説明文５２４は、図５の実線５２６が帰路ネットワークインフラストラクチャ、例えば、ネットワークリンクを示すことを表示している。
【００３１】
システム５００は、複数の無線端末（無線端末１  ５１６、・・・、無線端末Ｎ  ５１８）を含む。無線端末は、システム５００に渡って分散されてよく、さらに、基地局負荷、例えば、基地局接続点上りリンク負荷が、システムにわたって変化する。所与の基地局に関して、基地局は、自分の基地局接続点負荷を決定する。
【００３２】
無線端末１  ５１６は、現時点で無線リンク５２０を介してＢＳ５  ５０５に接続されており、一方、無線端末５１８は、現時点で無線リンク５２２を介して基地局１１  ５１１に結合されている。基地局５  ５０５は、帰路ネットワークを介して、近接基地局（ＢＳ１  ５０２、ＢＳ２  ５０２、ＢＳ４  ５０４、ＢＳ６  ５０６、ＢＳ７  ５０７、ＢＳ８  ５０８）に、各々、信号（５２８、５３４、５３０、５３６、５３２、５３８）を介して自分の負荷因子を送信する。基地局５  ５０５は、帰路ネットワークを介して、（ＢＳ１  ５０２、ＢＳ２  ５０２、ＢＳ４  ５０４、ＢＳ６  ５０６、ＢＳ７  ５０７、ＢＳ８  ５０８）に対応する（ＢＳ１  ５０２、ＢＳ２  ５０２、ＢＳ４  ５０４、ＢＳ６  ５０６、ＢＳ７  ５０７、ＢＳ８  ５０８）からの負荷因子情報を、各々、信号（５４０、５４４、５４２、５４６、５５０、５４８）を介して受信する。基地局５  ５０５は、ブロードキャストビーコン信号５９９、ブロードキャストパイロットチャネル信号５９８、ならびにブロードキャスト信号５９７を介しての基地局５、６、７、８、１、２および４に対応するブロードキャスト負荷因子情報を送信する。従って、ＢＳ５に接続される無線端末、例えば、ＷＴ１  ５１６が、受信されるブロードキャスト信号５９７を介して関心のある近接基地局に対応する負荷因子情報を回収し得る。例えば、無線端末１  ５１６は、基地局５  ５０５、基地局２  ５０２および基地局６  ５０６に対応する上りリンク負荷因子を回収し、種々の上りリンク干渉報告、例えば、基地局５に伝達されるビーコン割合報告に使用することが可能である。基地局は、高レベルの負荷を経験する場合に自分の負荷情報を近接基地局に送信し得るが、他の時には、そのような情報を送信してもしなくてもよいことに留意されたい。さらに、例えば、負荷因子により示される基地局負荷の量に関わらず負荷因子が送信される場合の実施と比較してブロードキャストチャネルのオーバヘッド量を低減するために、基地局は、近接基地局の負荷因子のブロードキャストを、高レベルの負荷を経験する近接基地局の負荷因子に限定してもよい。代替的に、基地局は、高負荷の近接基地局に対応する負荷因子情報を、より高速で、例えば、低負荷の近接基地局よりも高い頻度で送信してよい。そのような実装で、端末が、接続される基地局から１つの特定の近接基地局の負荷因子を受信しない場合、端末は、その近接基地局が低負荷であると推測し、それゆえに、端末が干渉報告、例えば、ビーコン割合報告を計算する場合、その近接基地局に対して負荷因子の第１の初期設定値を使用することが可能である。この第１の初期設定値は、隣接する基地局が低負荷であることを示すように設定され得る。近隣の基地局の負荷情報がブロードキャストされない通信システムでは、無線端末が隣接する基地局から負荷情報を回収できない場合、無線端末は、接続されてない基地局に対応する負荷因子情報の受信の失敗を、負荷因子情報が受信されない基地局が低負荷である指標として使用することが不可能である点に留意されたい。そのような実装の一部では、無線端末は、ビーコン割合報告を計算する場合に受信されなかった上りリンク負荷因子に対し、高負荷の隣接する基��局に関してブロードキャストされるが他はされないシステムで使用される初期設定値ではなく、異なる、例えば、第２の初期設定値を使用する。この第２の初期設定因子は、そのような場合に基地局負荷因子情報の受信の失敗が低負荷の指標として解釈されないので、例えば、近接基地局が低負荷でないと仮定する、慎重な方法で通常、選択され得る。従って、高負荷の近接基地局に関する負荷因子情報が基地局によって正常に送信されるかまたはされないかに対応する第１および第２の負荷因子初期設定値は異なる。
【００３３】
図６は、近接基地局の間での基地局負荷因子情報の交換を、基地局負荷因子情報の転送のための無線通信経路を提供する両方の基地局に接続される例示的な無線端末と共に示す、種々の実施形態による例示的な無線通信システム６００の説明図である。例示的な無線通信システム６００、例えば、ＯＦＤＭ通信システムは、別のネットワークノードに、例えば、ネットワークリンク６１６、６１８および／または別のネットワークノードおよび／またはリンクを介して互いに結合される基地局１  ６０２および基地局２  ６０４を含む複数の基地局を含む。
【００３４】
例示的な通信システム６００は、システム全体にわたって移動し、自分が位置するサービスエリア、例えば、セルを有する基地局に接続され得る複数の無線端末、例えば、移動体ノードを含む。例示的な通信システム６００では、無線端末の少なくとも一部が、２つの基地局接続点の同時接続をサポートする。例示的な無線端末Ｐ  ６１４は、第１の無線リンク６３０を介してＢＳ１  ６０１に結合され、第２の無線リンク６３２を介してＢＳ２  ６０４に結合されるのが示される１つの無線端末である。説明を目的として、この図面で無線端末Ｐ  ６１４が２つの基地局に同時に接続されている点に留意されたい。しかしながら、無線端末Ｐ  ６１４は、異なる時刻に２つの基地局に接続されることも可能である。例えば、無線端末Ｐ  ６１４が、最初に基地局１に接続され、次に、この接続が廃棄され、基地局２にハンドオフされ得る。無線端末Ｐ  ６１４が基地局２に接続された後、無線端末Ｐ  ６１４は、基地局１の負荷情報を基地局２に通知し得る。付加的な無線端末（ＷＴ１  ６０６、・・・、ＷＴＮ  ６０８）は、各々、無線リンク（６２０、・・・、６２２）を介してＢＳ１  ６０２に結合される。付加的な無線端末（ＷＴ１’  ６１０、・・・、ＷＴＮ’  ６１２）は、各々、無線リンク（６２４、・・・、６２６）を介してＢＳ２  ６０４に結合される。
【００３５】
ＢＳ１  ６０２は、自分の負荷因子を決定し、その値をＷＴＰ  ６１４に送信されるメッセージ６３４で伝達し、次に、ＷＴＰ  ６１４がメッセージ６３８を生成してＢＳ２  ６０４に送信する。ＢＳ２  ６０４は、自分の負荷因子を決定し、その値をＷＴＰ  ６１４に送信されるメッセージ６４０で伝達し、次に、ＷＴＰ  ６１４がメッセージ６３６を生成してＢＳ１  ６０４に送信する。代替的に、ＷＴＰが、基地局１ブロードキャスト信号６４６からＢＳ１負荷因子を回収し、その値を信号６３８で、例えば、基地局１からの命令、基地局２からの要求に応じて、または所定のスケジュールで、または基地局１負荷因子の変化もしくはＢＳ２がＢＳ１負荷に関する古い情報をブロードキャストしていることの認識等の検出された状態に応じて、基地局２  ６０４に送信してよい。同様に、ＷＴＰが、基地局２ブロードキャスト信号６５２からＢＳ２負荷因子を回収し、その値を信号６３６で、例えば、基地局２からの命令、基地局１からの要求に応じて、または所定のスケジュールで、または基地局２負荷因子の変化もしくはＢＳ１がＢＳ２負荷に関する古い情報をブロードキャストしていることの認識等の検出された状態に応じて、基地局１  ６０２に送信してよい。
【００３６】
基地局１  ６０２は、ブロードキャストビーコン信号６４２、ブロードキャストパイロットチャネル信号６４４、および基地局１および基地局２に対応するブロードキャスト負荷因子信号６４６、例えば、上りリンク負荷因子を送信する。基地局２  ６０４は、ブロードキャストビーコン信号６５０、ブロードキャストパイロットチャネル信号６４８、ならびに基地局１および基地局２に対応するブロードキャスト負荷因子信号６５２、例えば、上りリンク負荷因子を送信する。
【００３７】
現時点でＢＳ１  ６０２に接続されるが、ＢＳ２  ６０４に接続されないＷＴｓ、例えば、ＷＴ１  ６０６は、ＢＳ２  ６０４からの高出力で容易に検出可能なビーコン信号６５０、ＢＳ１  ６０２からのビーコン信号６４２、およびＢＳ１  ６０２からのパイロットチャネル信号６４４を受信および測定する。ＷＴ１  ６０６は、ブロードキャスト信号６４６から回収されるＢＳ１およびＢＳ２に対応する上りリンク負荷因子情報、ビーコン６５０から受信される強度の測定値、ならびにビーコン６４２から受信される強度およびパイロット信号６４４のうちの少なくとも１つを干渉報告、例えば、ビーコン割合報告の決定に使用する。この決定された干渉報告は、次に、無線リンク６２０を使用して専用制御チャネルセグメント信号を介してＢＳ６０２に伝達される。
【００３８】
現時点でＢＳ２  ６０４に接続されるが、ＢＳ１  ６０２に接続されないＷＴｓ、例えば、ＷＴ１’  ６１０は、ＢＳ１  ６０２からの高出力で容易に検出可能なビーコン信号６４２、ＢＳ２  ６０４からのビーコン信号６５０、およびＢＳ２  ６０４からのパイロットチャネル信号６４８を受信および測定する。ＷＴ１’  ６１０は、ブロードキャスト信号６５２から回収されるＢＳ１およびＢＳ２に対応する上りリンク負荷因子情報、ビーコン６４２から受信される強度の測定値、ならびにビーコン６５０から受信される強度およびパイロット信号６４８のうちの少なくとも１つを干渉報告、例えば、ビーコン割合報告の決定に使用する。この決定された干渉報告は、次に、無線リンク６２４を使用して専用制御チャネルセグメント信号を介してＢＳ２  ６０４に伝達される。
【００３９】
図７は、種々の実施形態により実装される例示的な基地局７００の説明図である。例示的な基地局７００は、図１のシステム１００、図５のシステム５００または図６のシステム６００の基地局のいずれであってもよい。基地局７００は、多重アクセス無線通信システムは、複数の基地局を含み、これら複数の基地局の各々は、少なくとも１つの基地局接続点を含む。実施形態によっては、基地局７００は、複数のセクタを含む。実施形態によっては、基地局７００は、複数の異なるキャリアを使用する。例えば、所与のセクタ／キャリアの組み合わせが、基地局接続点に対応し得る。例示的な基地局７００は、種々の構成要素がデータおよび情報を交換するバス７１２を介して互いに結合される受信機モジュール７０２、送信機モジュール７０４、プロセッサ７０６、Ｉ／Ｏインターフェースモジュール７０８およびメモリ７１０を含む。
【００４０】
受信機モジュール７０２、例えば、ＯＦＤＭ受信機は、基地局が上りリンク信号を無線端末から受信する受信アンテナ７１４に結合される。上りリンク信号は、アクセス信号、タイミング制御信号、出力制御信号、トラフィックチャネル信号および専用制御チャネル信号を含む。実施形態によっては、例えば、無線端末が中継として機能する情報を送信することで、上りリンク信号は、別の基地局に対応する基地局負荷因子情報を含む。例えば、基地局７００は、実施形態によっては、近接基地局および無線通信リンクを介して近接基地局負荷因子情報を受信する移動体通信装置から、物理的に近接基地局の接続点に対応する基地局負荷因子情報を受信する。例えば、この移動体通信装置は、２つの無線通信リンクを同時に保持してよく、２つの近接基地局の間の中継として機能してよい。専用制御チャネル信号は、アップローディング因子情報を使用するビーコン割合報告等の干渉報告を含む。例えば、第１および第２の無線端末が同じ基地局７００を使用することを考慮し、無線受信機モジュール７０２は第１の無線端末から第１の上りリンク干渉報告を、第２の無線端末から第２の上りリンク干渉報告を受信する。
【００４１】
送信機モジュール７０４、例えば、ＯＦＤＭ送信機は、基地局７００が下りリンク信号を無線端末に送信する送信アンテナ７１６に結合される。下りリンク信号は、ビーコン信号、ならびに／または識別および／もしくは通信チャネルを測定するために使用されるパイロットチャネル信号等の種々のブロードキャスト信号を含む。下りリンク信号は、さらに、基地局７００に対応し、かつ別の、例えば、近接基地局に対応する上りリンク負荷因子情報を含むブロードキャストチャネル信号を含む。送信機モジュール７０４により送信されるブロードキャスト信号のいくつかは、別の基地局に対応する受信される基地局負荷因子情報を含む。下りリンク信号は、さらに、制御信号およびトラフィックチャネルセグメント信号を含む。
【００４２】
Ｉ／Ｏインターフェースモジュール７０８は、基地局を別のネットワークノード、例えば、別の基地局および／またはインターネットに結合する。従って、Ｉ／Ｏインターフェースモジュール７０８は、帰路ネットワークを介しての基地局７００と別の、例えば、近接基地局との間の負荷因子情報の交換を容易化する。Ｉ／Ｏインターフェースモジュール７０８は、ネットワークインターフェース受信機７１８およびネットワークインターフェース送信機７２０を含む。基地局７００は、基地局７００と受信機７１８が結合される別の基地局との間の帰路リンクを介して、物理的に近接基地局の負荷因子情報をネットワークインターフェース受信機７１８を介して受信する。基地局７００は、例えば、別の近接基地局に、自分の１つまたは複数の接続点に対応する決定された上りリンク負荷因子情報をネットワークインターフェース送信機７２０を介して送信する。基地局７００は、別の、例えば、近接基地局の接続点に対応する上りリンク負荷因子情報をネットワークインターフェース受信機７１８を介して受信する。Ｉ／Ｏインターフェースモジュール７０８は、さらに、基地局７００接続点を使用する無線端末が、異なる基地局の接続点を使用する別の無線端末との通信セッションに参加することを可能にする。
【００４３】
メモリ７１０は、ルーチン７２２およびデータ／情報７２４を含む。プロセッサ７０６、例えば、ＣＰＵは、基地局７００の動作を制御するためにルーチン７２２を実行してメモリ７１０のデータ／情報７２４を使用し、方法のステップを実装する。ルーチン７２２は、通信ルーチン７２６および基地局制御ルーチン７２８を含む。通信ルーチン７２６は、基地局７００により使用される種々の通信プロトコルを実装する。基地局制御ルーチン７２８は、ビーコンモジュール７３０、パイロットモジュール７３２、上りリンク負荷因子決定モジュール(loading factor determination module)７３４、リソース割り当てモジュール７３６、干渉報告回収モジュール７３８、負荷因子回収モジュール７４０、および負荷因子ブロードキャスト信号生成モジュール７４２を含む。
【００４４】
ビーコンモジュール７３０は、ブロードキャストされるビーコン信号の生成および送信を制御するために、ビーコン信号情報７５６を含むデータ／情報７２４を使用する。パイロット信号モジュール７３２は、ブロードキャストされるパイロットチャネル信号の生成および送信を制御するために、パイロット信号情報７５４を含むデータ／情報７２４を使用する。上りリンク負荷因子決定モジュール７３４は、基地局７００の１つ以上の接続点に関する上りリンク負荷を示す上りリンク負荷因子を決定する。例えば、上りリンク負荷因子決定モジュール７３４が、決定される基地局負荷因子７４８を決定する。
【００４５】
リソース割り当てモジュール７３６は、受信される上りリンク干渉報告情報、例えば、受信される第１および第２の上りリンク干渉報告に応じて上りリンクリソースを割り当てる。受信される上りリンク干渉報告は、実施形態によっては、基地局７００の基地局接続点と別の、例えば、近接基地局の基地局接続点とに対応する送信される負荷因子情報の関数である。実施形態によっては、第１の無線端末からの第１の干渉報告は、基地局７００からのビーコンまたはパイロットチャネル信号等のブロードキャスト信号の第１の無線端末によって測定される受信される出力レベルと、基地局７００の接続点に対応する第１の上りリンク負荷因子と、別の、例えば、近接基地局からのビーコンまたはパイロットチャネル信号等のブロードキャスト信号の第１の無線端末によって測定される受信される出力レベルと、前記別の基地局の接続点に対応する第２の上りリンク負荷因子との関数である。
【００４６】
干渉報告回収モジュール７３８は、基地局７００接続点を使用して、無線端末から伝達される上りリンク干渉報告、例えば、ビーコン割合報告を回収する。受信されるＷＴ１干渉報告情報７５０と受信される無線端末Ｎ干渉報告情報７５２とは、干渉報告回収モジュール７３８からの情報出力を示し、リソース割り当てモジュール７３６による入力として利用される。
【００４７】
負荷因子回収モジュール７４０は、ネットワークインターフェース受信機７１８および／または無線受信機モジュール７０２を介して、メッセージを介して伝達される別の、例えば、近接基地局に対応する負荷因子を回収する。受信される基地局２負荷因子７４４および受信される基地局Ｎ負荷因子Ｎ７４６は、負荷因子回収モジュール７４０からの出力を示す。
【００４８】
負荷因子ブロードキャスト信号生成モジュール７４２は、１つ以上の負荷因子、例えば、基地局２負荷因子７４４、基地局Ｎ負荷因子７４６、および決定される基地局負荷因子７４８のうちの１つ以上を搬送する送信機７０４を介した信号の生成およびブロードキャストを制御する。実施形態によっては、基地局７００が複数のセクタを含み、かつ／または複数のキャリアを使用する場合、負荷因子ブロードキャスト信号生成モジュールは、所与の接続点に関連する負荷因子情報を選択的にブロードキャストする一方で、別の記憶される負荷因子情報の送信を自制する。例えば、セクタの特定の基地局接続点を使用する無線端末は、異なるキャリアが使用されていることおよび／または近接基地局セクタのサービスエリアの方向に起因して、別の接続点に対応する上りリンク負荷因子情報に関心がない可能性がある。
【００４９】
データ／情報７２４は、別の基地局の複数の基地局接続点に対応する受信される負荷因子（受信される基地局２負荷因子７４４、・・・、受信される基地局Ｎ負荷因子７４６）、ＢＳ７００接続点に対応する決定される基地局負荷因子７４８、複数の干渉報告情報（受信されるＷＴ１干渉報告情報７５０、・・・、ＷＴＮ受信される干渉報告情報７５２）、パイロット信号情報７５４、ビーコン信号情報７５６、負荷因子ブロードキャストスケジュール情報７５８、およびシステム基地局情報７６０を含む。システム基地局情報７６０は、複数の近接基地局に対応する情報（近接基地局２情報７６２、・・・、近接基地局ｎ情報７６４）を含む。データ／情報７２４は、さらに、ＷＴ割り当てリソース情報の複数セット（ＷＴ１割り当てリソース情報７６６、・・・、ＷＴＮ割り当てリソース情報７６８）を含む。ＷＴ１割り当てリソース情報７６６は、基地局割り当て識別情報７７０、上りリンク専用制御チャネル情報７７２、上りリンクトラフィックチャネルセグメント情報７７４、およびハンドオフ情報７７６を含む。ＷＴＮ割り当てリソース情報７６８は、基地局割り当て識別情報７７８、上りリンク専用制御チャネル情報７８０、上りリンクトラフィックチャネルセグメント情報７８２、およびハンドオフ情報７８４を含む。
【００５０】
受信される基地局２負荷因子７４４および受信される基地局Ｎ負荷因子７４６は、負荷因子回収モジュール７４０の出力であり、一方、決定される基地局負荷因子７４８は、決定モジュール７３４の出力である。例示的な実施形態で、負荷因子情報を示すために例示的な上りリンク負荷因子および対応する値を説明する情報が、図９のテーブル９００に含まれる。
【００５１】
受信されるＷＴ１干渉報告情報７５０および受信されるＷＴＮ干渉報告情報７５２、例えば、ビーコン割合報告情報は、干渉報告回収モジュール７３８の出力である。例示的な実施形態で、ビーコン割合報告に関する例示的なフォーマットを説明する情報が図１０のテーブル１０００に示される。
【００５２】
パイロット信号情報７５４は、パイロット信号がブロードキャストされる繰り返し下りリンクチャネル構造で空中リンクリソースを識別する情報、例えば、ＯＦＤＭトーン−シンボルと、パイロットトーン信号に対応する出力レベル情報とを含む。ビーコン信号情報７５６は、いずれの空中リンクリソース、例えば、ＯＦＤＭトーン−シンボルがビーコン信号を搬送するのに使用されるかを識別する情報と、ビーコン信号に関連する出力レベルとを含む。実施形態によっては、ビーコン信号は、別の種類の下りリンク信号よりもトーン出力レベル当たりでより高いブロードキャストであり、例えば、１つ以上のトーンを高エネルギー集中で占有する狭帯域信号であり、ＯＦＤＭシンボル送信時間周期を超過する継続時間を有し、従って、ビーコン信号の送信機に対して同期化されていてもいなくてもよい無線端末による簡単な検出が容易化される。
【００５３】
負荷因子ブロードキャストスケジュール情報７５８は、基地局７００が自分の１つまたは複数の接続点と別の、例えば、近接基地局の接続点とに対応する特定の上りリンク因子をいつブロードキャストするべきであるかを識別する情報を含む。負荷因子ブロードキャストスケジュール情報７５８は、負荷因子ブロードキャスト信号生成モジュール７４２によって使用される。実施形態によっては、基地局７００および無線端末によって知られている所定の負荷因子ブロードキャストスケジュールが利用され、従って、ブロードキャスト信号に少なくとも一部の基地局接続点識別情報を含む必要性が除去され、従って、信号伝達のオーバヘッドが低減される。
【００５４】
近接基地局２情報７６２は、基地局２識別情報、基地局２によっていずれのキャリアが使用されるかを識別する情報、上りリンク干渉の関心事および基地局２接続点に対応する特定の受信されるＢＳ２上りリンク負荷因子が特定の基地局７００接続点を使用して無線端末にブロードキャストされないべきであるかどうかに関して基地局２の特定の接続点を基地局７００の特定の接続点に関連付ける情報を含む。
【００５５】
ＷＴ１割り当てリソース情報７６６は、リソース割り当てモジュール７３６によって決定される情報を含む。基地局割り当て識別情報７７０は、例えば、基地局７００一時割り当てオン状態識別子を含む。上りリンク専用制御チャネル情報７７２は、少なくとも一部の報告が、例えば、所定のマッピング情報に従う上りリンク干渉報告である上りリンク制御情報報告を伝達するためにいずれの専用制御チャネルセグメントがＷＴ１に割り当てられてきたかを識別する情報を含む。上りリンクトラフィックチャネル情報７７４は、例えば、所定の上りリンクチャネル構造のいずれの上りリンクトラフィックチャネルセグメントがＷＴ１に割り当てられてきたかを識別する情報を含む。ハンドオフ情報７７６は、例えば、リソース割り当てモジュール７３４による上りリンク負荷検討に応じてＷＴ１に方向付けられるハンドオフ開始信号伝達情報を含む。
【００５６】
図８は、種々の実施形態による、例示的な無線端末８００、例えば、移動体ノードの説明図である。例示的な無線端末８００は、種々の構成要素がデータ情報を交換し得るバス８１２を介して互いに結合される第１の受信機モジュール８０２、第１の送信機モジュール８０４、プロセッサ８０６、Ｉ／Ｏデバイス８０８、およびメモリ８１０を含む。いくつかの実施形態、例えば、少なくとも２つの異なる基地局接続点で同時無線端末リンクをサポートするいくつかの実施形態では、無線端末８００は、さらに、バス８１２に結合される第２の受信機モジュール８１８および第２の送信機モジュール８２０を含む。
【００５７】
第１の受信機モジュール８０２、例えば、ＯＦＤＭ受信機は、無線端末８００が基地局から下りリンク信号を受信する受信アンテナ８１４に結合される。下りリンク信号は、ブロードキャストビーコン信号、ブロードキャストパイロットチャネル信号、ならびに別の基地局、例えば、受信されるブロードキャスト負荷因子信号を送信する基地局に近接基地局の１つまたは複数の接続点に対応する信号および上りリンク負荷因子情報をブロードキャストする基地局の１つまたは複数の接続点に対応する上りリンク負荷因子情報を搬送するブロードキャスト上りリンク負荷因子信号を含む。下りリンク信号は、さらに、リソース割り当て信号、例えば、基地局割り当て無線端末識別子を搬送する信号、トラフィックチャネルセグメント割り当てを搬送する信号および専用制御チャネル割り当て情報を搬送する信号を含む。実施形態によっては、下りリンク信号は、ＷＴ８００がその情報をＷＴ８００がさらに接続される別の近接基地局に中継可能であるような、基地局接続点負荷情報を伝達するＷＴ８００に方向付けられるメッセージを含む。実施形態によっては、下りリンク信号は、負荷因子情報の転送の要求および負荷因子情報の転送の命令の少なくとも１つを含む。
【００５８】
第１の送信機モジュール８０４、例えば、ＯＦＤＭ送信機は、無線端末８００が上りリンク信号を基地局に送信する送信機アンテナ８１６に結合される。実施形態によっては、例えば、デュプレックスモジュールと共に、同じアンテナが受信機モジュール８０２および送信機モジュール８０４に対して使用される。上りリンク信号は、干渉報告、例えば、無線端末に割り当てられる専用制御チャネルセグメントを使用するビーコン割合報告を含む専用制御チャネル報告、上りリンクトラフィックチャネルセグメント信号、アクセス信号、出力制御信号、タイミング制御信号、およびハンドオフ信号を含む。実施形態によっては、上りリンク信号は、さらに、例えば、無線端末が２つの基地局の間で中継として機能する、基地局接続点に対応する上りリンク負荷因子情報を搬送するメッセージを含む。
【００５９】
第２の受信機モジュール８１８、例えば、ＯＦＤＭ受信機は、無線端末８００が下りリンク信号を基地局から受信する受信アンテナ８２２に結合される。下りリンク信号は、ブロードキャストビーコン信号、ブロードキャストパイロットチャネル信号、ならびに別の基地局、例えば、受信されるブロードキャスト負荷因子信号を送信する基地局に近接基地局の１つまたは複数の接続点に対応する信号および上りリンク負荷因子情報をブロードキャストする基地局の１つまたは複数の接続点に対応する上りリンク負荷因子情報を搬送するブロードキャスト上りリンク負荷因子信号を含む。下りリンク信号は、さらに、リソース割り当て信号、例えば、基地局割り当て無線端末識別子を搬送する信号、トラフィックチャネルセグメント割り当てを搬送する信号および専用制御チャネル割り当て情報を搬送する信号を含む。実施形態によっては、下りリンク信号は、ＷＴ８００がその情報をＷＴ８００がさらに接続される別の近接基地局に中継可能であるような、基地局接続点負荷情報を伝達するＷＴ８００に方向付けられるメッセージを含む。実施形態によっては、下りリンク信号は、負荷因子情報の転送の要求および負荷因子情報の転送の命令の少なくとも１つを含む。
【００６０】
第２の送信機モジュール８２０、例えば、ＯＦＤＭ送信機は、無線端末８００が上りリンク信号を基地局に送信する送信機アンテナ８２４に結合される。実施形態によっては、例えば、デュプレックスモジュールと共に、同じアンテナが受信機モジュール８１８および送信機モジュール８２４に対して使用される。上りリンク信号は、干渉報告、例えば、無線端末に割り当てられる専用制御チャネルセグメントを使用するビーコン割合報告を含む専用制御チャネル報告、上りリンクトラフィックチャネルセグメント信号、アクセス信号、出力制御信号、タイミング制御信号、およびハンドオフ信号を含む。実施形態によっては、上りリンク信号は、さらに、例えば、無線端末が２つの基地局の間で中継として機能する、基地局接続点に対応する上りリンク負荷因子情報を搬送するメッセージを含む。いくつかの実施形態で存在する、２つの受信機／送信機ペア（８０２／８０４、８１８／８２０）の含有は、無線端末８００が中継として機能しての近接基地局の間の基地局接続点上りリンク負荷因子情報の転送を容易化する、２つの異なる基地局接続点との同時無線接続のサポートを容易化する。
【００６１】
Ｉ／Ｏデバイス８０８、例えば、キーパッド、キーボード、マイクロフォン、スイッチ、ディスプレイ、スピーカ、その他は、ＷＴ８００のユーザがデータ／情報を入力し、出力データ／情報にアクセスし、無線端末の少なくとも一部の機能を制御することを可能にする。
【００６２】
メモリ８１０は、ルーチン８２６およびデータ／情報８２８を含む。プロセッサ８０６、例えば、ＣＰＵは、無線端末８００の動作を制御するためにルーチン８２６を実行してメモリ８００のデータ／情報８２８を使用し、方法のステップを実装する。ルーチン８２６は、通信ルーチン８３０および基地局制御ルーチン８３２を含む。通信ルーチン８３０は、無線端末８００により使用される種々の通信プロトコルを実装する。基地局制御ルーチン８３２は、ビーコン信号測定モジュール８３４、パイロット信号測定モジュール８３６、負荷因子回収モジュール８３８、および干渉報告生成モジュール８４０を含む。いくつかの実施形態、例えば、２つの異なる基地局接続点への２つの同時無線通信リンクをサポートするいくつかの実施形態では、無線端末が負荷因子中継モジュール８４２を含む。
【００６３】
ビーコン信号測定モジュール８３４は、基地局接続点からのビーコン信号ブロードキャストの受信信号強度を測定する。パイロット信号測定モジュール８３６は、基地局接続点からのパイロットチャネル信号ブロードキャストの受信信号強度を測定する。
【００６４】
負荷因子回収モジュール８３８は、ブロードキャスト基地局信号から基地局接続点に対応する負荷因子を回収する。例えば、基地局は、自分の基地局接続点および近接基地局の接続点に対応する負荷因子をブロードキャストチャネルでブロードキャストし、無線端末８００は、その信号を第１の受信機モジュール８０２を介して受信し、負荷因子回収モジュール８３８を使用して負荷因子情報を回収する。
【００６５】
干渉報告生成モジュール８４０、例えば、ビーコン割合報告生成モジュールは、干渉報告、例えば、特定の、または包括的なビーコン割合報告の生成に、ビーコン信号モジュール８３４および／またはパイロット信号測定モジュール８３６、ならびに負荷因子回収モジュール８３８から取得される情報を使用する。負荷因子回収中継モジュール８４２は、無線通信チャネルを介した近接基地局の間での受信される上りリンク負荷因子情報の中継を制御する。例えば、無線端末は、受信機／送信機ペア（８０２／８０４）を使用する第１の基地局の基地局接続点と、第１の基地局に近接する、受信機／送信機ペア（８１８／８２０）を使用する第２の基地局の基地局接続点とに同時に接続され得て、第１の基地局に対応する受信される上りリンク負荷因子情報は、第２の基地局へのメッセージを介して信号伝達され得て、このメッセージはモジュール８４２の制御下で生成および信号伝達される。従って、負荷因子情報を転送するために帰路を使用することの必要性なしに、モジュール８４２を介して、２つの近接基地局にその時点でたまたま接続される無線端末８００を利用して、近接基地局の間で負荷因子情報が日和見的に伝達され得る。
【００６６】
データ／情報８２８は、複数の受信および回収される上りリンク負荷因子（受信される基地局１負荷因子８４４、・・・、受信される基地局Ｎ負荷因子８４６）、基地局に対応する測定されるパイロット信号情報（ＢＳ１  ８４８に対応する測定されるパイロット信号情報、・・・、基地局Ｎ  ８４９に対応する測定されるパイロット信号情報）、測定されるビーコン信号情報（基地局１  ８５０に対応する測定されるビーコン信号情報、・・・、基地局Ｎ  ８５１に対応する測定されるビーコン信号情報）、生成される干渉報告情報８５２、システム基地局情報８６４、および割り当てリソース情報８５４を含む。実施形態によっては、データ／情報８２８は、さらに、基地局負荷因子中継メッセージ情報８７０を含む。
【００６７】
受信される基地局負荷因子（受信される基地局１負荷因子８４４、・・・、受信される基地局Ｎ負荷因子８４６）は、負荷因子回収モジュール８３８の出力である。個々の基地局は、例えば、基地局での複数の異なる接続点に対応する複数の上りリンク負荷因子を有してもよく、場合によってはそうであり、無線端末は、同じ基地局の異なる基地局接続点に対応する複数の負荷因子を回収、記憶、および／または送信する場合があることを理解するべきである。
【００６８】
測定されるパイロット信号情報（ＢＳ１パイロット信号情報８４８、ＢＳＮパイロット信号情報８４９）はモジュール８３６の出力であり、測定されるビーコン信号情報（ＢＳ１ビーコン信号情報８５０、ＢＳＮビーコン信号情報８５１）はビーコン信号測定モジュール８３４の出力である。測定されるパイロット信号情報（ＢＳＮ）８４９は、実施形態によっては存在し得ないことを示すために、点線のボックスで示される。例えば、２つの異なる基地局接続点への２つの同時接続をサポートする実施形態、例えば、第２の受信機モジュール８１８／第２の送信機モジュール８２０を含む実施形態は、パイロットチャネル信号の２つの基地局からの測定値を同時に回収し得る。しかしながら、いくつかの別の実施形態では、例えば、単一の受信機モジュール８０２を使用するいくつかの実施形態では、その時点での接続点に対応するパイロット信号測定値８４８の単一セットをサポートしてよく、別の基地局からの信号強度を評価するためにビーコン信号測定値を利用してよい。
【００６９】
生成される干渉報告情報８５２、例えば、パイロットおよび／またはビーコン信号測定値と上りリンク負荷因子情報とを使用する包括的または特定のビーコン割合報告は、干渉報告生成モジュール８４０の出力である。システム基地局情報８６４は、複数の基地局（基地局１情報８６６、・・・、基地局ｎ情報８６８）に対応する情報を含む。基地局１情報８６６は、下りリンクタイミングおよび周波数構造情報、上りリンクタイミングおよび周波数構造情報、キャリア情報、トーンブロック情報、基地局が上りリンク負荷因子をいつブロードキャストするかを識別する情報を含むスケジュール情報、ならびにいずれの近接基地局接続点が基地局１の各接続点の関心事であるかを識別する情報を含む基地局１の異なる接続点に対応する情報を含む。
【００７０】
割り当てリソース情報８５４は、基地局割り当て識別情報８５６、例えば、基地局割り当て無線端末オン状態識別子と、上りリンク専用制御チャネル情報８５８、例えば、上りリンク干渉報告を含む上りリンク制御報告を送信するために無線端末に割り当てられる専用制御チャネルセグメントを識別する情報と、上りリンクトラフィックチャネル情報８６０、例えば、無線端末に割り当てられる上りリンクトラフィックチャネルセグメントを識別する情報と、ハンドオフ情報８６２とを含む。
【００７１】
基地局負荷因子中継メッセージ情報８７０は、負荷因子中継モジュールにより生成される信号、例えば、無線端末８００を介して１つの基地局から近接基地局に上りリンク負荷因子を渡すことに使用される信号を含む。
【００７２】
図９は、例示的な上りリンク負荷因子情報のテーブル９００の説明図である。第１の列９５２は、基地局セクタの接続点に対応する下りリンクブロードキャストチャネルメッセージで無線端末に伝達され、かつ／または基地局の間、例えば、近接基地局の間のメッセージで伝達され得る、例えば、３つの情報ビットを使用する８つの異なる値を示し、この値は、基地局接続点に対する上りリンク負荷因子を示すのに使用される。第２の列９５４は、基地局接続点に対応するｄＢｓでの上りリンク負荷因子ｂｉを示し、この例示的なフォーマットに従って伝達され得る上りリンク負荷の異なるレベルを示す。伝達される負荷因子値ｂｉは、干渉報告の生成、例えば、ビーコン割合報告の生成で、無線端末に使用される。通信値（０、１、２、３、４、５、６、７）は、各々、ｄＢｓで、負荷因子（０、−１、−２、−３、−４、−６、−９、−無限）に対応する。従って、実数値で表現される例示的な負荷因子は、１〜０の範囲で８つの可能な値をとり得る。
【００７３】
図１０は、例示的な４ビット上りリンク干渉報告、例えば、例示的な４ビット下りリンクビーコン割合報告ビーコン割合報告（ＤＬＢＮＲ４）のフォーマットのテーブル１０００の説明図である。第１の列１００２は、報告により示され得る１６つの代替的なビットパターンを識別する。第２の列１００４は、各可能性のあるビットパターン、例えば、報告される調整された出力計算レベル、例えば、２つ以上の基地局接続点からの無線端末の測定される受信される下りリンクビーコンチャネル信号の割合、接続点に対応する上りリンク負荷因子を使用するゲイン調整された割合と関連付けられる解釈を識別する。テーブル１０００の例で、報告値は、−３ｄＢｓ〜２６ｄＢｓの間の範囲である。
【００７４】
測定されるビーコン信号を使用する１つの例示的な特定のビーコン割合報告では、各ビーコンが同じ出力レベル＝（ＰＢ０×ｂ０）／（ＰＢ１×ｂ１）で送信され、ここでＰＢ０は、無線端末が現時点で接続されるサービス提供基地局からの受信されるビーコン信号の無線端末の測定される出力であり、ＰＢ１は、隣接する基地局からの受信されるビーコンの無線端末の測定される出力であり、ｂ０は、現時点でのサービス提供基地局の上りリンク負荷因子であり、ｂ１は、隣接する基地局の上りリンク負荷因子である。
【００７５】
測定されるビーコン信号を使用する１つの例示的な包括的なビーコン割合報告では、各ビーコンが同じ出力レベル＝（ＰＢ０×ｂ０）／（（ＰＢ１×ｂ１）＋（ＰＢ２×ｂ２））で送信され、ここでＰＢ０は、無線端末が接続されるサービス提供基地局からの受信されるビーコン信号の無線端末の測定される出力であり、ＰＢ１は、第１の隣接する基地局接続点からの受信されるビーコンの無線端末の測定される出力であり、ＰＢ２は、第２の隣接する基地局接続点からの受信されるビーコンの無線端末の測定される出力であり、ｂ０は、現時点でのサービス提供基地局の上りリンク負荷因子であり、ｂ１は、第１の隣接する基地局接続点の上りリンク負荷因子であり、ｂ２は、第２の隣接する基地局接続点の上りリンク負荷因子である。この例示的な種類のビーコン割合報告は、（ＰＢ０×ｂ０）／（（ＰＢ１×ｂ１）＋（ＰＢ２×ｂ２）＋,・・・,＋（ＰＢＮ×ｂｎ））と、Ｎつの近接基地局接続点に対して拡張可能であり、ここでＰＢＮは、第Ｎの隣接する基地局接続点の測定される受信される出力であり、ｂｎは、第Ｎの隣接する基地局接続点の上りリンク負荷因子である。
【００７６】
測定されるビーコン信号を使用する別の例示的な包括的なビーコン割合報告では、各ビーコンが同じ出力レベル＝（ＰＢ０×ｂ０）／ｍａｘ（（ＰＢ１×ｂ１）,（ＰＢ２×ｂ２））で送信され、ここでＰＢ０は、無線端末が接続されるサービス提供基地局からの受信されるビーコン信号の無線端末の測定される出力であり、ＰＢ１は、第１の隣接する基地局接続点からの受信されるビーコンの無線端末の測定される出力であり、ＰＢ２は、第２の隣接する基地局接続点からの受信されるビーコンの無線端末の測定される出力であり、ｂ０は、現時点でのサービス提供基地局の上りリンク負荷因子であり、ｂ１は、第１の隣接する基地局接続点の上りリンク負荷因子であり、ｂ２は、第２の隣接する基地局接続点の上りリンク負荷因子である。この例示的な種類のビーコン割合報告は、（ＰＢ０×ｂ０）／ｍａｘ（（ＰＢ１×ｂ１）,（ＰＢ２×ｂ２）,・・・,（ＰＢＮ×ｂｎ））と、Ｎつの近接基地局接続点に対して拡張可能であり、ここでＰＢＮは、第Ｎの隣接する基地局接続点の測定される受信される出力であり、ｂｎは、第Ｎの隣接する基地局接続点の上りリンク負荷因子である。
【００７７】
実施形態によっては、異なる基地局接続点がそれらのビーコン信号を異なる出力で送信し、付加的なゲイン調整因子がビーコン割合報告で利用される。実施形態によっては、パイロットおよびビーコン信号の混合がビーコン割合報告で利用され、付加的なゲイン調整因子がスケーリングを均等化するために使用される。実施形態によっては、異なる基地局接続点が異なる出力でパイロットを送信し、付加的なゲイン調整因子がスケーリングを均等化するために使用される。
【００７８】
無線端末が近接基地局負荷因子情報を受信することが不可能な場合、報告の計算をするために必要である未回収の近接基地局負荷因子に関して初期設定値を使用する必要があり得ることを理解するべきである。そのような状況で、無線端末は、未回収の近接基地局負荷因子に、干渉レベルの過大評価を生じる慎重な初期設定値を使用し得る。これは、基地局が干渉報告および割り当てリソースを検討する場合、無駄な空中リンクリソースを生じさせることが多いであろう。従って、現時点の接続を介して近接基地局負荷因子を伝達することによって、無線端末が複数の近接基地局の負荷因子をうまく回収することができるようになる可能性が著しく向上される。これは、より正確でより良く制御された干渉報告がもたらし得る。基地局は、より矛盾がなく正確な干渉報告が提供されることによって、より効果的にリソースを割り当てて干渉を管理することが可能である。
【００７９】
図１１は、複数の基地局を含む多重アクセス無線通信システムで第１の基地局を動作させる例示的な方法のフローチャート１１００の図である。無線通信システムの各基地局は、少なくとも１つの基地局接続点を含む。第１の基地局は、シングルセクタ基地局であってもよいし、マルチセクタ基地局であってもよい。例えば、１つの例示的な実施形態では、シングルセクタ基地局の接続点が、セル、下りリンクキャリア、下りリンクトーンブロック、対応する上りリンクキャリアおよび対応する上りリンクトーンブロックの組み合わせに対応し、マルチセクタ基地局の接続点が、セル、セクタ、下りリンクキャリア、下りリンクトーンブロック、対応する上りリンクキャリアおよび対応する上りリンクトーンブロックの組み合わせに対応する。
【００８０】
動作がステップ１１０２で開始し、第１の基地局が起動されて初期化される。動作が開始ステップ１１０２からステップ１１０４に進む。ステップ１１０４で、第１の基地局が第１のブロードキャスト信号、例えば、ビーコンまたはパイロットチャネル信号をブロードキャストする。実施形態によっては、第１のブロードキャスト信号が繰り返し下りリンクチャネル構造に従うブロードキャストである。動作がステップ１１０４からステップ１１０６に進む。ステップ１１０６で、第１の基地局が、第１の基地局接続点に関する上りリンク負荷を示す第１の上りリンク負荷因子を決定し、前記第１の基地局接続点は、第１の基地局に対応する。次に、ステップ１１０８で、第１の基地局が、下りリンクブロードキャストチャネルを使用して、前記第１の上りリンク負荷因子を送信する。動作がステップ１１０８からステップ１１１０に進む。
【００８１】
ステップ１１１０で、第１の基地局が、第２の基地局に対応する第２の基地局接続点の負荷を示す第２の基地局負荷因子情報を受信する。実施形態によっては、第２の基地局が、前記第１の基地局に物理的に近接し、前記第２の基地局負荷因子情報を受信することは、第１および第２の基地局の間の帰路リンクを介して前記第２の基地局基地局負荷因子情報を受信することを含む。実施形態によっては、第２の基地局が、前記第１の基地局に物理的に近接し、前記第２の基地局負荷因子情報を受信することは、無線通信リンクを介して前記第２の基地局負荷因子情報が受信される移動体通信装置から前記第２の基地局基地局負荷因子情報を受信することを含む。例えば、移動体通信装置は、実施形態によっては、多重同時無線通信リンクをサポートする移動体無線端末である。
【００８２】
次に、ステップ１１１２で、前記受信される第２の基地局負荷因子情報の少なくとも一部を第１の基地局がブロードキャストする。例えば、前記第２の基地局接続点に対応する第２の上りリンク負荷因子を第１の基地局がブロードキャストし、前記第２の上りリンク負荷因子は前記少なくとも一部の第２の基地局負荷因子情報に含まれる。実施形態によっては、前記第２の基地局負荷因子情報の少なくとも一部を送信することは、直交周波数分割多重化信号を使用する。動作がステップ１１１２からステップ１１１４またはステップ１１１８に進む。ステップ１１１４およびステップ１１１６は、いくつかの実施形態では、一部の基地局に関して実行されるが、別の基地局に関して実行されない。例えば、第１の基地局が、同じ上りリンク周波数スペクトルを使用する無線通信システムの複数の近接基地局を有し、互いに干渉する可能性がある場合、実施形態によっては、次に、ステップ１１１４およびステップ１１１６が第１の基地局によって実行される。
【００８３】
ステップ１１１４で、第１の基地局が、例えば、帰路ネットワークを介して、第３の基地局接続点に対する上りリンク負荷を示す第３の上りリンク負荷因子情報を受信し、前記第３の基地局接続点が第３の基地局および前記第２の基地局のうちの１つに対応し、前記第３の基地局が前記第１の基地局に近接する。実施形態によっては、第３の接続点が前記第２の基地局に対応し、前記第２および第３の基地局接続点が、第２の基地局の異なる、例えば、近接する、セクタに対応する。次に、ステップ１１１６で、第１の基地局が、下りリンクブロードキャスト通信チャネルを使用して、前記第３の上りリンク負荷因子を送信する。動作がステップ１１１６からステップ１１１８に進む。
【００８４】
ステップ１１１８で、第１の基地局が第１の無線端末から第１の上りリンク干渉報告、例えば、ビーコン割合報告を受信し、ステップ１１２０で、第１の基地局が第２の無線端末から第２の上りリンク干渉報告、例えば、ビーコン割合報告を受信する。実施形態によっては、第１および第２の上りリンク干渉報告が、送信される第１および第２の負荷因子の関数である。種々の実施形態では、第１の上りリンク干渉報告が、第１のブロードキャスト信号の第１の無線端末により測定される受信される出力レベル、第１の上りリンク負荷因子、第２の基地局からの第２のブロードキャスト信号の第１の無線端末による受信される出力レベル測定値、および第２の上りリンク負荷因子の関数である。実施形態によっては、第１の基地局からの第１のブロードキャスト信号がビーコンおよびパイロットチャネル信号のうちの１つであり、第２の基地局からの第２のブロードキャスト信号がビーコンおよびパイロットチャネル信号のうちの１つである。
【００８５】
一部の基地局に関する少なくとも一部の第１および第２の干渉報告に関するいくつかの実施形態では、第１および第２の上りリンク干渉報告が、前記第１および第２の無線端末によって、前記第１、第２および第３の上りリンク負荷因子に応じて決定される。例えば、第１の基地局が、同じ周波数スペクトルを共有する少なくとも２つの近接基地局を有してよく、第１および第２の干渉報告が、３つの基地局からの出力測定情報および負荷因子情報を使用する包括的な種類の報告であってよい。代替的に、第１および第２の干渉報告が、２つの基地局、例えば、第１の基地局と１つの別の選択される近接基地局とからの受信される出力測定値を比較し、第１の基地局と１つの別の選択される近接基地局とからの負荷因子情報を使用する特定の種類の報告であってよい。
【００８６】
次に、ステップ１１２２で、第１の基地局が、前記受信される第１および第２の上りリンク干渉報告に応じて上りリンクリソース割り当てを決定する。実施形態によっては、受信される第１および第２の上りリンク干渉報告に応じて上りリンクリソース割り当てを決定することが、トラフィックチャネルセグメントをスケジューリングすることを含む。実施形態によっては、前記受信される第１および第２の上りリンク干渉報告に応じて上りリンクリソース割り当てを決定することが、第１の接続点から第２の接続点への第１の無線端末のハンドオフを開始することを含む。実施形態によっては、前記受信される第１および第２の上りリンク干渉報告に応じて上りリンクリソース割り当てを決定することが、専用制御チャネル割り当てを変更することを含む。実施形態によっては、前記受信される第１および第２の上りリンク干渉報告に応じて上りリンクリソース割り当てを決定することが、第１の基地局の異なる接続点を使用する、例えば、第１の基地局への接続に関して異なるキャリアおよび／またはセクタを使用するために、前記第１の無線端末の変更を開始することを含む。
【００８７】
実施形態によっては、第１の基地局が下りリンク送信繰り返しスケジュールに従って上りリンク負荷因子を送信し、繰り返し上りリンクスケジュールに従って上りリンク干渉報告を送信するために第１の基地局が第１の無線端末に上りリンクセグメントを割り当て、第１の無線端末からの上りリンク干渉報告が、送信されるようにスケジューリングされる接続点に対応する上りリンク負荷因子よりも高い周波数で、第１の基地局により受信されるようにスケジューリングされる。実施形態によっては、上りリンク干渉報告が上りリンク専用制御チャネル内の所定の位置に割り当てられ、上りリンク負荷因子情報が下りリンクブロードキャストチャネル構造の所定の位置に割り当てられる。
【００８８】
図１２Ａおよび図１２Ｂの組み合わせを備える図１２は、複数の基地局を含む多重アクセス無線通信システム、例えば、上りリンクトーンホッピングを含むＯＦＤＭ拡散スペクトル多重アクセス無線通信システムの基地局を動作させる例示的な方法のフローチャート１２００の図である。動作がステップ１２０２で開始し、基地局が起動されて初期化される。動作が開始ステップ１２０２からステップ１２０４、ステップ１２０６、ステップ１２０８に進み、ノードＡ  １２１２を接続し、ノードＢ  １２１４を接続し、ノードＣ  １２１６を接続する。
【００８９】
ステップ１２０４で、基地局が別の、例えば、近接する基地局の基地局接続点に対応する負荷因子情報を受信する。実施形態によっては、この受信が、帰路ネットワークリンクを介して、かつ／または移動体への無線リンクを介してネットワークインターフェース受信機を経由する。ステップ１２０４の動作が継続的に実行される。ステップ１２０４から別の基地局に対応する接続点情報（ＢＳ２接続点１負荷因子情報１２１８、・・・、ＢＳＮ接続点Ｍ負荷因子情報１２２０）が取得され、ステップ１２０８に進められる。
【００９０】
ステップ１２０６で、基地局が、基地局の基地局接続点に対応する負荷因子情報（ＢＳ１接続点１負荷因子情報１２２２、・・・、基地局１接続点ｎ負荷因子情報１２２４）を決定する。決定される負荷因子情報（１２２２、１２２４）が、ステップ１２０８への入力として提供される。ステップ１２０６が、基地局によって継続的に実行され、例えば、接続点に対応する負荷因子を、オン状態ユーザ数の変化、上りリンクトラフィックチャネルセグメントでの伝達が要求されるバックログフレーム量の変化、無線端末に関連付けられる上りリンクトラフィックチャネルデータ速度情報の変化に応じて再調整する。
【００９１】
ステップ１２０８で、基地局が基地局負荷因子情報を含むブロードキャストメッセージを生成し、送信されるブロードキャストメッセージの少なくとも一部は、別の、例えば、近接基地局に対応する負荷因子情報を含む。ステップ１２０８が継続的に実行される。ステップ１２０８からの出力は、負荷因子情報を含む複数のブロードキャストメッセージを含む（負荷因子情報を含むブロードキャストメッセージ１  １２２６、・・・、負荷因子情報を含むブロードキャストメッセージｍ  １２２８。動作がステップ１２０８からステップ１２１０に進む。ステップ１２１０で、基地局が、負荷因子情報を含む生成されるブロードキャストメッセージを空中リンクを介して送信し、前記送信されるメッセージの少なくとも一部は、別の、例えば、近接基地局に対応する負荷因子情報を含む。ステップ１２１０が、例えば、繰り返し下りリンクチャネル構造のブロードキャストチャネルの負荷因子情報のために確保される所定の位置に従って、継続的に実行される。
【００９２】
基地局の各基地局接続点に関して、動作が接続ノードＡ  １２１２からステップ１２３０に進む。ステップ１２３０で、現時点で基地局接続点を使用する無線端末から上りリンク干渉報告、例えば、ビーコン割合報告を基地局が受信し、前記上りリンク干渉報告の一部は、別の、例えば、近接基地局に対応する負荷因子情報を使用して生成されており、この負荷因子情報は前に基地局によりブロードキャストされている。ステップ１２３０が継続的に実行される。例えば、繰り返し上りリンクチャネル構造内の所定の位置は専用制御チャネルを含み、専用制御チャネルセグメントが、基地局接続点を使用する現時点のオン状態無線端末からの干渉報告を搬送する。回収される干渉報告（ＷＴ１上りリンク干渉報告１２３８、・・・、ＷＴＮ上りリンク干渉報告１２４０）は、ステップ１２３０からの出力であり、ステップ１２３２への入力として使用される。
【００９３】
基地局の各基地局接続点に関して、動作が接続ノードＢ  １２１４からステップ１２３２に進む。ステップ１２３２で、基地局が、前記受信される上りリンク干渉報告に応じて、空中リンクリソース、例えば、上りリンクトラフィックチャネルセグメントをスケジューリングする。ステップ１２３２が継続的に実行される。
【００９４】
接続ノードＣ  １２１６から、動作がステップ１２３４に進む。ステップ１２３４で、基地局が、基地局に対応する基地局負荷因子情報を含むメッセージを生成する。基地局１接続点負荷因子情報（ＢＳ接続点１負荷因子情報１２２２、・・・、ＢＳ接続点ｎ負荷因子情報１２２４）がステップ１２３４への入力であり、生成されるＢＳ１負荷メッセージ１２４２がステップ１２３４の出力である。メッセージ１２４２は、基地局の１つ以上の接続点に対応する負荷因子情報を含む。例えば、基地局が１つのみの接続点を備えるシングルセクタ基地局であってよく、メッセージ１２２４が単一の接続点に対応する負荷因子情報を含む。代替的に、基地局が、複数のセクタおよび／またはキャリアに対応する複数の接続点を含んでよい。いくつかの実施形態のメッセージ１２４２は、複数の接続点を用いて、単一の接続点に対応する負荷因子情報を搬送する。いくつかの実施形態のメッセージ１２４２は、複数の接続点を用いて、基地局に対応する接続点セットに対応する負荷因子情報を搬送する。メッセージ１２４２に対応するこの接続点セットは、基地局に対応する負荷因子情報の完全なセットのサブセットであってよい。例えば、いくつかの基地局接続点負荷因子情報が近接基地局に関連し、別の基地局接続点負荷因子情報が、例えば、サービスエリアおよび／または利用される周波数スペクトルに応じて関連しなくてよい。ステップ１２３４が継続的に実行される。動作がステップ１２３４からステップ１２３６に進む。
【００９５】
ステップ１２３６で、基地局が、生成されるメッセージ１２４２を別のネットワークノード、例えば、近接基地局に送信する。例えば、この送信は、帰路ネットワークを介したものであってよい。そのような実施形態のいくつかでは、負荷因子情報を含むメッセージは、あて先を近接基地局として基地局から供給される。代替的に、実施形態によっては、負荷因子情報を含む送信されるメッセージが、システム内の複数の基地局から負荷因子情報を収集する中央ノードに方向付けられ、次に、例えば、トポロジに応じて、個々の基地局に関連する負荷因子情報が転送される。代替的に、実施形態によっては、基地局は、近接基地局に負荷因子情報を転送するために、自分および近接基地局に現時点で接続される無線端末を利用する。ステップ１２３６が継続的に実行される。
【００９６】
実施形態によっては、繰り返しタイミング構造に従って、近接基地局の間で負荷因子情報が交換される。実施形態によっては、近接基地局からの要求に応じて基地局によって負荷因子情報が伝達される。実施形態によっては、所定の条件が満たされることに応じて基地局によって負荷因子情報が伝達され、例えば、負荷の高レベルが達成されることに応じて基地局が負荷因子情報を伝達する。実施形態によっては、基地局での負荷の変化が検出されることに応じて負荷因子情報が伝達される。
【００９７】
ＯＦＤＭシステムに関して説明されたが、種々の実施形態の方法および装置は、多数の非ＯＦＤＭおよび／または非携帯電話システムを含む広範囲のシステムに適用可能である。
【００９８】
種々の実施形態で、本明細書で説明されるノードは、１つ以上の方法、例えば、信号処理、ビーコン生成、ビーコン検出、ビーコン測定、接続比較、接続実行に対応するステップを実行するために１つ以上のモジュールを使用して実装される。実施形態によっては、種々の特性がモジュールを使用して実装される。そのようなモジュールは、ソフトウェア、ハードウェアまたはソフトウェアとハードウェアとの組み合わせを使用して実装され得る。上述された方法および方法のステップの多くは、例えば、１つ以上のノードで上述の方法の全てまたは一部を実装するために、機械、例えば、付加的なハードウェアを有するまたは有しない汎用コンピュータを制御するために、メモリデバイス、例えば、ＲＡＭ、フロッピー（登録商標）ディスク、その他等の機械可読媒体に含まれる機械実行可能命令、例えば、ソフトウェアを使用して実装され得る。従って、とりわけ、種々の実施形態は、機械、例えば、プロセッサおよび関連ハードウェアに上述の方法（１つまたは複数）のステップの１つ以上を実行させるための機械実行可能命令を含む機械可読媒体に方向付けられる。
【００９９】
上記説明の観点から、上述された方法および装置に多数のさらなる変形形態が当業者には明らかであろう。そのような変形形態は、範疇内にあるとみなされるべきである。種々の実施形態の方法および装置は、ＣＤＭＡ、直交周波数分割多重化（ＯＦＤＭ：orthogonal frequency division multiplexing）および／またはアクセスノードと移動体ノードとの間の無線通信リンクを提供するために使用され得る種々の他の種類の通信技術に使用されてよいし、種々の実施形態で使用されている。実施形態によっては、アクセスノードが、ＯＦＤＭおよび／またはＣＤＭＡを使用する移動体ノードとの通信リンクを確立する基地局として実装される。種々の実施形態では、移動体ノードが、ノート型コンピュータ、携帯情報端末（ＰＤＡｓ：personal data assistants）、または種々の実施形態の方法を実装するために受信機／送信機回路と論理および／もしくはルーチンとを含む他の携帯型デバイスとして実装される。
【図面の簡単な説明】
【０１００】
【図１】種々の実施形態により実装される例示的な無線通信システムの説明図である。
【図２】種々の実施形態による、帰路ネットワークを介して基地局から／に伝達される負荷因子情報を含む例示的な信号伝達を示す説明図である。
【図３】種々の実施形態による、図１のシステムの基地局から送信される例示的なブロードキャスト信号伝達を示す説明図である。
【図４】種々の実施形態による、例示的な上りリンク干渉報告に関して、無線端末とその近隣にある種々の基地局との例示的なやりとりを示す説明図である。
【図５】近接基地局の間での帰路を介した基地局負荷因子情報の交換を示す、種々の実施形態による例示的な無線通信システムの説明図である。
【図６】近接基地局の間での基地局負荷因子情報の交換を、通信経路を提供する両方の基地局に接続される例示的な無線端末と共に示す、種々の実施形態による例示的な無線通信システムの説明図である。
【図７】種々の実施形態による、例示的な基地局の説明図である。
【図８】種々の実施形態による、例示的な無線端末の説明図である。
【図９】例示的な上りリンク負荷因子情報を示すテーブルの説明図である。
【図１０】例示的な上りリンク干渉報告に関するフォーマットを示すテーブルの説明図である。
【図１１】種々の実施形態による、基地局を動作させる例示的な方法のフローチャートの図である。
【図１２】図１２Ａおよび図１２Ｂの組み合わせ。
【図１２Ａ】種々の実施形態による、基地局を動作させる例示的な方法のフローチャートの図である。
【図１２Ｂ】種々の実施形態による、基地局を動作させる例示的な方法のフローチャートの図である。
【図１】
2009512360.tif 000003
【図２】
2009512360.tif 000004
【図３】
2009512360.tif 000005
【図４】
2009512360.tif 000006
【図５】
2009512360.tif 000007
【図６】
2009512360.tif 000008
【図７】
2009512360.tif 000009
【図８】
2009512360.tif 000010
【図９】
2009512360.tif 000011
【図１０】
2009512360.tif 000012
【図１１】
2009512360.tif 000013
【図１２】
2009512360.tif 000014
【図１２Ａ】
2009512360.tif 000015
【図１２Ｂ】
2009512360.tif 000016
【国際調査報告】
2009512360.tif 000017
2009512360.tif 000018
2009512360.tif 000019